(57)【要約】本発明は、複数のスプロケットホイールを使用して前方に付勢される複数の摺動パックを支持する複数の連続レールを利用し、農産物をパックによって運ばれるカップから仕分けビンに選択的に落下させるために磁気作動の起動コンポーネントを利用する運搬および選別システムを備える。システムの搬送および作動コンポーネントの構造は、バクテリア、汚染物質、塵埃による潜在的な汚染を低減する滑らかな外面を備えているため、洗浄のために簡単にアクセスでき、連続稼働時間を長くして効率を高めることができる。
2021504268.tif 000002
【特許請求の範囲】
【請求項１】
農産物を搬送するためのコンベアー装置であって、
a. 互いに平行に設けられた複数の連続したレールであって、各レールが滑らかな外部上面、底面、および対向する側面を有し、少なくとも１つの連続した嵌合面が、前記上面、底面、および側面の少なくとも１つに沿って設けられている複数の連続したレールと、
b. 各レールに設けられた複数のパックであって、各パックが、そのようなレールを跨ぐ脚の間に開口を形成する一対の脚を備え、そのような開口の各々の少なくとも１つの内面がパックとレールの間に摺動可能に係合するために各レール上の嵌合面に相補的な嵌合面を有する複数のパックと
を備えるコンベアー装置。
【請求項２】
連続的な窪みが各レールの各対向側面に沿って設けられ、各パック脚の各内面が、各レールの対応する側面の窪みと相補的な形状を有する突起を備える請求項１に記載のコンベアー装置。
【請求項３】
外側に延びる突出部が各パック脚の外面に設けられ、該装置が複数の平行スプロケットホイールをさらに備え、そのようなホイールの各々が各レールの湾曲部分に隣接して設けられ、各ホイールは、複数の前記パックを前記レールに沿って付勢するためにレールの湾曲部分の周りを移動するときに、前記パックの突出部に係合するための複数のスプロケットを備える請求項１に記載のコンベアー装置。
【請求項４】
外側に延びる突出部が各パック脚の外面に設けられ、装置が複数の平行なスプロケットホイールをさらに備え、そのような各ホイールが各レールの湾曲部分に隣接して設けられ、そのような各ホイールが、各レールの対向側面に設けられた２つの回転可能な平行なディスクを備え、各ディスクは、ホイールがレールに沿って前記パックを付勢するためにレールの湾曲部分の周りを移動するときに前記パックの突出部に係合する複数のスプロケットを備える請求項１に記載のコンベアー装置。
【請求項５】
各レールの別の部分に隣接して設けられた少なくとも１つの追加のスプロケットホイールをさらに備え、各追加のホイールは、各レールの対向側面に設けられた２つの回転可能な平行ディスクを備え、各ディスクは、前記パックを前記レールに沿ってさらに付勢するために、パックの突出部と係合する複数のスプロケットを備える請求項４に記載のコンベアー装置。
【請求項６】
前記パックを前記レールに沿って付勢するためにレールの湾曲部分の周りを移動するときに、パックの少なくとも１つの脚に係合するために各レールの湾曲部分に隣接して設けられたチェーン駆動ホイールをさらに備える請求項１に記載のコンベアー装置。
【請求項７】
各パックが、農産物を保持するために枢動可能に取り付けられた可動カップと、前記カップの縁に位置する少なくとも１つの下向きに延びる脚とをさらに備え、
a. 前記レールの軸に垂直な向きを有する前記レールの下方に搭載され、各レールに隣接する少なくとも１つの制御可能な電磁石を収容する少なくとも１つの中空クロス部材と、
b. 各電磁石が作動すると、カップの１つに選択的に接触してカップを旋回させて農産物を排出させるために、各レールに隣接し、少なくとも１つの電磁石に隣接するクロスバー上の少なくとも１つの可動アクチュエータと、
をさらに備える請求項１に記載のコンベアー装置。
【請求項８】
各カップが一対の下方に延びる脚を備え、各脚が前記レールの各側面にあり、前記少なくとも１つの可動アクチュエータが２つの平行なリフトアームを備え、各リフトアームは前記脚の位置に対応するように前記レールの各側面に設けられ、前記リフトアームの一方は、前記リフトアームの他方よりも長い請求項７に記載のコンベアー装置。
【請求項９】
前記電磁石が作動したときに前記アクチュエータに接触するように前記クロス部材に沿って選択的に移動するために各アクチュエータに隣接する各クロス部材の周りに設けられた少なくとも１つの可動ディスクをさらに備える請求項７に記載のコンベアー装置。
【請求項１０】
各パックが、農産物を保持するためにそこに固定して取り付けられたカップと、下向きに延びる脚を有する前記カップ内の少なくとも１つの可動部材とをさらに備え、
a. 前記レールの軸に垂直な向きを有する前記レールの下方に搭載され、かつ、各レールに隣接する少なくとも１つの制御可能な電磁石を収容する少なくとも１つの中空のクロス部材と、
b. 各電磁石が作動すると、可動部材の一つの脚に選択的に接触して可動部材を上昇させ、農産物を放出させるために、各レールに隣接し、かつ、少なくとも一つの電磁石に隣接するクロスバー上の少なくとも一つの可動アクチュエータと、をさらに備える請求項１に記載のコンベアー装置。
【請求項１１】
第２のコンベアーをさらに含み、前記第２のコンベアーは、
c. 互いに平行に設けられ、長さの一部にわたって前記第１の複数の連続レールに挿入されたであって、前記第２のレールの各々は滑らかな外部上面、底面、および対向する側面を有し、少なくとも１つの連続する嵌合面が、前記面の少なくとも１つに沿って設けられる第２の複数の連続レールと、
d. 各第２レール上に設けられた複数のキャリアであって、各キャリアが、そのようなレールに跨るキャリアの脚の間に開口を形成する一対の脚を備え、各キャリアの脚の開口の少なくとも１つの内面が、キャリアとレールの間を摺動可能に係合するために、そのような各レールの嵌合面に相補的である嵌合面を備える複数のキャリアと、
を備える請求項１に記載のコンベアー装置。
【請求項１２】
連続的な窪みが各第２のレールの各対向側面に沿って設けられ、各キャリア脚の各内面が、そのような各レールの対応する側面の窪みに相補的な形状を有する突起を備える請求項１１に記載のコンベアー装置。
【請求項１３】
外側へ延びる突出部が各キャリア脚の外面に設けられ、本装置がさらに第２の複数の平行なスプロケットホイールを備え、各第２ホイールは各第２レールの湾曲部分に隣接して設けられ、各第２ホイールは、前記キャリアを前記レールに沿って付勢するために、前記レールの湾曲部分の周りを移動するときに、前記キャリアの突出部と係合する複数のスプロケットを備える請求項１１に記載のコンベアー装置。
【請求項１４】
外側に延びる突出部が各キャリア脚の外面に設けられ、本装置がさらに第２の複数の平行なスプロケットホイールを備え、そのような各ホイールが各第２レールの湾曲部分に隣接して設けられ、そのような各第２ホイールは、各レールの対向側面に設けられた２つの回転可能な平行ディスクを備え、各ディスクは、キャリアをレールに沿って付勢するためにレールの湾曲部分の周りを移動するときにキャリアの突出部に係合するための複数のスプロケットを備える請求項１１に記載のコンベアー装置。
【請求項１５】
a. 中心軸を有する少なくとも１つのレール;
b. 前記少なくとも１つのレールに沿って移動するために設けられた少なくとも１つのパック;
c. 農産物を保持するために各パックに枢動可能に取り付けられた可動カップであって、各カップが少なくとも１つの下向きに延びる脚を有する可動カップ;
d. 前記少なくとも１つのレールの軸に垂直な方位を有する前記少なくとも１つのレールの下方に搭載された少なくとも１つの中空クロス部材であって、各クロス部材が、前記少なくとも１つのレールに隣接する少なくとも１つの制御可能な電磁石を収容する中空クロス部材; そして
e. 一方のカップの脚に選択的に接触し、前記電磁石が作動した時にカップを旋回させて農産物を放出させるために、少なくとも１つのレールと少なくとも１つの電磁石に隣接する、クロスバー上の少なくとも１つの電磁可動アクチュエータを備える、農産物を選択的に放出する装置。
【請求項１６】
各カップが一対の下方に延びる脚を備え、前記少なくとも１つのレールの各側面に１つの脚があり、前記少なくとも１つの可動アクチュエータが２つの平行なリフトアームを備え、１つのそのようなリフトアームが前記脚の位置に対応して前記レールの各側面に設けられ、前記リフトアームの一方が前記リフトアームの他方よりも長い請求項１５に記載の装置。
【請求項１７】
前記電磁石が作動したときに前記クロス部材に沿って選択的に移動して前記アクチュエータに接触するために、各アクチュエータに隣接する各クロス部材の周りに設けられた少なくとも１つの電磁可動ディスクをさらに備える請求項１６に記載の装置。
【請求項１８】
前記少なくとも１つのレールは、互いに平行に設けられた複数の連続レールを備え、各レールは、滑らかな外部上面、底面、および対向側面を有し、少なくとも１つの連続嵌合面が、前記面の少なくとも１つに沿って設けられ、前記少なくとも１つのパックは、各レール上に設けられた複数のパックを備え、各パックは、そのようなレールを跨ぐために脚の間の開口を形成した一対の脚を備え、そのような各開口の少なくとも１つの内面が、パックとレール間の摺動可能な係合のために、各レールの嵌合面を補完する嵌合面を備える請求項１５に記載の装置。
【請求項１９】
連続的な窪みが各レールの各対向側面に沿って設けられ、各パックの脚の各内面が、各レールの対応する側面の窪みと相補的な形状を有する突起を備える請求項１５に記載の装置。
【請求項２０】
外側に延びる突出部が各パック脚の外面に設けられ、本装置は複数の平行なスプロケットホイールをさらに備え、そのような各ホイールは、各レールの湾曲部分に隣接して設けられ、前記パックを前記レールに沿って付勢するためにレールの湾曲部分の周りを移動するとき、前記パックの突出部に係合する複数のスプロケットを備える請求項１５に記載の装置。
【請求項２１】
外側に延びる突出部が各パックの脚の外面に設けられ、本装置が複数の平行なスプロケットホイールをさらに備え、そのような各ホイールが各レールの湾曲部分に隣接して設けられ、そのような各ホイールが各レールの対向側面に設けられた２つの回転可能な平行なディスクを備え、各ディスクは、前記パックをレールに沿って付勢するためにレールの湾曲部分を移動する時にパックの突出部に係合する複数のスプロケットを備える請求項１５に記載の装置。
【請求項２２】
a. 中心軸を有する少なくとも１つのレール;
b. 前記少なくとも１つのレールに沿って移動するために設けられた少なくとも１つのパック;
c. 農産物を保持するために各パックに固定的に取り付けられたカップであって、各カップが少なくとも１つの可動部材をその上に有し、前記可動部材が下向きに延びる脚を有するカップ;
d. 前記少なくとも１つのレールの軸に垂直な方位を有する前記少なくとも１つのレールの下方に搭載された少なくとも１つの中空クロス部材であって、各クロス部材が、前記少なくとも１つのレールに隣接する少なくとも１つの制御可能な電磁石を収容する中空クロス部材; そして
e. 可動部材の１つの脚に選択的に接触し、前記電磁石が作動した時に可動部材に農産物を移動させるために、少なくとも１つのレールと少なくとも１つの電磁石に隣接する、クロスバー上の少なくとも１つの電磁可動アクチュエータを備える、農産物を選択的に放出する装置。
【請求項２３】
前記少なくとも１つのレールは、互いに平行に設けられた複数の連続レールを備え、各レールは、滑らかな外部上面、底面、および対向側面を有し、少なくとも１つの連続嵌合面が、前記面の少なくとも１つに沿って設けられ、前記少なくとも１つのパックは、各レール上に設けられた複数のパックを備え、各パックは、そのようなレールを跨ぐために脚の間の開口を形成した一対の脚を備え、そのような各開口の少なくとも１つの内面が、パックとレール間の摺動可能な係合のために、各レールの嵌合面を補完する嵌合面を備える請求項２２に記載の装置。
【請求項２４】
連続的な窪みが各レールの各対向側面に沿って設けられ、各パックの脚の各内面が、各レールの対応する側面の窪みと相補的な形状を有する突起を備える請求項２２に記載の装置。
【請求項２５】
外側に延びる突出部が各パック脚の外面に設けられ、本装置は複数の平行なスプロケットホイールをさらに備え、そのような各ホイールは、各レールの湾曲部分に隣接して設けられ、前記パックを前記レールに沿って付勢するためにレールの湾曲部分の周りを移動するとき、前記パックの突出部に係合する複数のスプロケットを備える請求項２２に記載の装置
【請求項２６】
外側に延びる突出部が各パックの脚の外面に設けられ、本装置が複数の平行なスプロケットホイールをさらに備え、そのような各ホイールが各レールの湾曲部分に隣接して設けられ、そのような各ホイールが各レールの対向側面に設けられた２つの回転可能な平行なディスクを備え、各ディスクは、前記パックをレールに沿って付勢するためにレールの湾曲部分を移動する時にパックの突出部に係合する複数のスプロケットを備える請求項２２に記載の装置。
【発明の詳細な説明】
【技術分野】
【０００１】
本発明は、農産物の運搬および分類装置に関し、より詳細には、汚染を受けにくく、容易に洗浄される改良された、農産物の運搬、選別および分類装置およびその使用方法に関する。
【背景技術】
【０００２】
従来の農産物取り扱いおよび選別／分類機器は、搬送および選別／分類システム内の経路に沿って移動するカップまたはその他の構造物を備え、個々の農産物がシステムを通過するときにそれらを支持する。通常、これらのシステムは、撮影ゾーン、計量ゾーン、仕分け／分類ゾーンを有する。農産物は個々のカップに置かれ、農産物の状態と品質を評価するために最初に撮影ゾーンを通過し、次に計量ゾーンを通過する。農産物はその後、コンベアーで計量ゾーンから適切な仕分け／分類エリアに般送され、そこでサイズ、形状、色、重量、またはその他の要因によって分離される。
【０００３】
既存のシステムは、通常、農産物の各々を重量、サイズ、傷で分析して、コンベアーから農産物をどの仕分けテーブルまたはビンに排出するかを決定するコンピュータを備える。特定の農産物が適切な仕分けテーブルに到着すると、その農産物を保持するカップまたは他の支持構造がシステムによって作動し、それを旋回させるか、さもなければそのカップ内の農産物を下方の仕分けテーブルに落下させる。
【０００４】
通常の選別／分類システムでは、個々の農産物を保持するカップは、システムを介してそれらを運ぶ連続チェーンに取り付けられる。一部の既存のシステムでは、農産物を保持するカップの旋回軸が、ソレノイドまたは他の同様の物理的アクチュエータを使用して作動することがよくある。これらのソレノイドは、カップが移動するトラックに沿って配置され、少なくとも１つのソレノイドが各仕分けテーブル上の各トラックに結合されている。
【０００５】
特定の農産物を保持するカップが、コンピュータシステムによって選択された仕分けテーブルの上に到着すると、カップが通過するときにそのテーブルのソレノイドが一時的に作動する。これにより、延長部材がソレノイドから突き出て、カップに接触し、カップが旋回して搬送している農産物を落下させる。次に、ソレノイドはすぐに後退し、トラックを下ってくる次のカップと不必要に接触しないようにする。
【０００６】
これらのシステムには、旋回可能なカップを支持するチェーンを備えた複数の平行なレールが設けられており、各仕分けテーブルの各レールに複数のソレノイドが必要とされるソレノイドは、カップのトラックの下のクロスビーム上に設けられ、ワイヤー対は、搬送システムの側面から各ソレノイドまで延びている。
【０００７】
残念ながら、連続チェーン、ワイヤー、クロスビーム、及びソレノイド自体は、特に典型的な日に何千もの農産物がそのようなシステムを通過するときに、汚染や破片が時間の経過とともに蓄積する可能性がある多数の不規則な開口や表面を備える。
【０００８】
結果的に、これらのシステムを完全にクリーニングすることは困難である。これは、リステリア菌または他の病原体を含む汚染がカップ、農産物、および農産物の消費者に運ばれるリスクを増大させる。従って、農産物の望ましくない汚染を防止するために、より容易かつ完全に洗浄することができる部品を有する改良された農産物選別および分類システムが必要とされている。
【０００９】
従来の選別／分類システムも、メンテナンスやクリーニングの問題を抱えている。 既存のコンベアーシステムは、通常、ローラーチェーンを使用してシステムを駆動する。ローラーチェーンは時間の経過とともに寸法が伸びる傾向があり、コンベアーのタイミングと動き、およびコンベアーに沿って駆動されるカップまたはその他の支持構造にばらつきが生じる。
【００１０】
さらに、搬送システムを水または水溶液で洗浄すると、ローラーチェーンが錆びやすくなり、搬送システムの機能が低下し、修理が必要になる。このようなシステムは高速で動作するため、コンベアーシステムの動作の劣化と変動は、直ちに農産物の仕分けのエラーにつながる。その結果、そのような機器の耐久性と効率を改善する継続的なニーズが存在する。
【発明の概要】
【００１１】
本発明の実施形態は、農産物カップを支持する複数の個々のパックがそれに沿って摺動移動する複数の連続する平行コンベアーレールを利用する、農産物用の改良された搬送、選別および分類装置を提供する。運動は、コンベアーの長さに沿って延びる連続的なチェーンまたはベルトによってではなく、各コンベアーレールの始端に設けられた回転可能なスプロケットホイールによってパックに与えられることが好ましい。
【００１２】
さらに、本発明は、仕分けコンベアーカップから、適切な仕分けテーブルまたはビンに農産物を移動させるための新しい作動システムを備えるが、これは、壁の後部に、および／または、ソレノイドなどの外部装置ではなく仕分けカップとコンベアーを支持する構造の内部に、配置された電磁石を使用して操作されるアクチュエータを利用する。したがって、本発明の実施形態は、農産物の選別、分類、および搬送システムの耐久性および清潔性を改善する。
【００１３】
本発明の実施形態は、複数の平行な連続（エンドレス）コンベアートラックを備え、各トラックは、複数のパックが搬送方向に沿って移動するレールまたは摺動部を備える。パックは、好ましくは搬送システムの一端でパックに短時間係合し、レールに沿って摺動するようにそれらを互いに押し込む、大きなスプロケット付きホイールの形態の１つ以上の駆動システムによって、各トラックに沿って前進させることができる。
【００１４】
長い運搬システムの場合、運搬されるパックをさらに付勢するために、レールに沿って間隔を置いて１つ以上の追加のスプロケット付きホイールを設けることができる。各パックは、各レールの側面をまたぐように設計された一対の脚を備えてもよい。レールの両側面は、長さに沿って連続した窪みを有するが、これは、各パックの脚の内面にある突起に対応している。
【００１５】
パックはレールと係合しているため、脚の突起はレールの窪みと係合し、その窪みはレールに沿って移動するときにパックをレール上に保持する。別の実施形態では、窪みおよび突起は、対向する位置に設けられてもよい、すなわち、突起は、レールの側面に設けられてもよく、対応する窪みは、パック脚の内側に設けられてもよい。
【００１６】
窪みと突起の形状は、不要な摩擦を避けるために相補的である必要があり、丸みを帯びた、凹面／凸面、楕円形、直交、または他の適切な相補的構造を含むがこれらに限定されない任意の適切な形である。いくつかの実施形態では、脚およびレールは一緒にあり継ぎされてもよく、パックはレール上およびレールからポップされてもよい。
【００１７】
いくつかの実施形態では、細長いガイドがレールの長さに沿って設けられてもよい。例えば、隆起部をレールの上面に沿って設けることができ、パックは、隆起部と嵌合し、隆起部に沿って摺動する相補的な凹部を下部に有することができる。
【００１８】
１つ以上のリッジが、補足的な凹部が隆起部に係合する位置でパック上に設けられる限り、レールの上部および／または片側または両側および／または底部を含めて、レールに沿った任意の適切な位置に設けられてもよいことを理解されたい。また、隆起部と窪みの位置を逆にしてもよく、その結果、パックには、レールの長さに沿って延びる相補的な細長い窪みと係合する隆起部を設けることができる。
【００１９】
各パックは、パック自体の一部であるか、パックに固定して取り付けられているか、または横方向に（たとえば、運搬方向に対して垂直に）旋回できるようにパックに機械的に接続されている少なくとも１つの農産物カップを備え、農産物を適当な仕分けテーブルかビンに投入することができる。
【００２０】
トラックは、パックが移動する完全なループであってもよく、その場合、トラックは、撮影ゾーン及び／又は計量ゾーンを含む上部と、パックが上部の端に達した後にパックを受け取る下部とを備え、パックをコンベアーの１つ以上の駆動機構に戻す。その後、パックは上部を通って戻る。
【００２１】
本発明の実施形態では、コンベアーの駆動機構は、各パック上の１つ以上の突出部と係合するスプロケットホイールであってもよい。スプロケットの開口は、パック上の１つ以上の突出部と係合し、スプロケットが回転するときに、突出部およびパックをコンベアートラックに沿って前方に押すことができる。いくつかの実施形態では、スプロケットホイールは、各レールの各側面に１つずつ、対で設けられ、パックは、各脚の突出部がスプロケット開口によって係合されるようにレールをまたぐ２つの脚を備えることができる。
【００２２】
他の実施形態では、パックの脚自体がスプロケットの開口において直接係合されてもよい。パックがスプロケットの周りのレールの湾曲部分に沿ってコンベアーの下部から上部に移動するとき、突出部はコンベアーの一端でスプロケットと係合することが好ましく、その後、パックはレールの上部に沿って移動するとき、互いに押し付けられる。
【００２３】
レールの長さが長い実施形態では、１つ以上の追加のスプロケットホイールが各レールに沿ってさまざまな間隔で設けられ、パックがレールに沿って移動するとき、パックの突出部またはパックの脚に係合し、追加の力をパックに与えることができる。
【００２４】
望ましくはないが、他の実施形態では、パックは、運搬システムの一端でパックに短時間係合しそれらがレールに沿って摺動するようにそれらを互に押し込む大きなチェーン駆動ホイールの形の１つ以上のチェーン駆動システムによって各レールに沿って前進させることができる。これらの実施形態では、パック上の１つ以上の脚が、駆動チェーンの開口と係合する。長い運搬システムの場合、運搬されるパックをさらに付勢するために、レールに沿って間隔を置いて１つ以上の追加のチェーン駆動ホイールを設けることができる。
【００２５】
本発明の実施形態において、コンベアーは、パック間の規則的な一貫した間隔を維持するために下部に追加の駆動機構を備えることもでき、それにより、パックは、レールの湾曲部分の周りを移動するときにスプロケットと確実に係合し、パック間のスペースを避け、システムの要素（パック、トラック、スプロケットなど）の詰まりや損傷を避ける。例えば、限定はしないが、コンベアーは、スプロケットの近くにコンベアーの下部の先端にベルトドライバーを備え、スプロケットホイールに到達する直前にパックに追いつき、パックを堅牢な形態に詰め込むことができる。
【００２６】
本発明の実施形態では、各パックは、農産物を保持するためのカップを支持する。いくつかの実施形態では、各カップは、パックと枢動可能に係合することができ、下向きに延びる１つ以上の脚を備えることができる。カップの旋回軸は、パックが係合しているレールの軸と平行であってもよく、好ましくはカップの中心に配置されて、カップをどちらかの横方向に傾けて農産物をレールの一方の側面または逆の側面（つまり、レールの軸に垂直）に落下させることができる。
【００２７】
脚はカップの縁部に配置され、それによって、例えば、カップの右側の脚に接触するアクチュエータがカップの右側を上向きに傾けて農産物がレールの左側に落下し、カップの左側の脚に接触するアクチュエータがカップの左側を上向きに傾けて農産物がレールの右側に落下するようにしてもよい。
【００２８】
農産物の時期尚早な落下を防ぐために、本発明の実施形態では、カップの旋回軸は、下部スロットおよび上部開放領域を有するパックの開口と係合する。レールを下る移動のほとんどの間、カップ内の農産物の重量が重力によってカップの旋回軸を下部スロットに押し込み、カップが農産物を傾けたり落下させたりすることを防ぐ。
【００２９】
カップは農産物が落下する仕分けビンに隣接するアクチュエータに到達すると、１つ以上のアクチュエータが最初にカップを持ち上げ、旋回軸がスロットから上方の開いた領域に持ち上げられ、自由に旋回できる。その後、同じまたは異なるアクチュエータがカップの片側をさらに上昇させ、農産物を反対側に落下させる。
【００３０】
好ましい実施形態では、各カップは、その対向する縁部に配置された下向きに延びる２つの脚を備え、１つは各レールのいずれかの側面にあり、各アクチュエータは、カップの脚の下に配置された２つの平行な可動アームを備え、１つは各レールのいずれかの側面にある。各レールの両側。これらの実施形態では、アクチュエータのアームの一方は、他方よりも長い。従って、カップは農産物が投下される仕分けビンに隣接するアクチュエータに到達すると、２つのアクチュエータアームが上昇して、カップの２本の脚と接触する。これにより、カップが上昇し、旋回軸がスロットから持ち上げられて、自由に旋回できる上部の開いた領域に移動する。次に、カップの脚の１つが短い方のアームの端に到達すると、その脚は支持を失って落下し、カップが短い方のアクチュエータのアームの方向に旋回して、農産物がレールのその側面に落下する。
【００３１】
これらの実施形態では、農産物は、短い方のアクチュエータのアームが配置されているレールの側面に落下することを理解されたい。長い方のアームの端に到達すると、２番目の脚は支持を失い、カップは水平姿勢に戻り、旋回軸は開口のスロットに戻る。次に、このビンに落とされる農産物を含む次のカップが到着するまで、アクチュエータのアームは下げられる。これらの実施形態では、アクチュエータは、一方のアームが他方よりも長い馬蹄に似た単一の構造で設けられてもよく、アクチュエータの中央部分は、ステンレス鋼のピンのような簡単な清掃容易構造を使用してクロス部材に枢動可能に取り付けられることを理解されたい。
【００３２】
本発明の選別、分類および運搬システムの実施形態は、大量の農産物がシステムを介して連続的に移動されることを可能にするために、平行に走る複数のパックトラックを備えることができる。ここに開示されているシステムのアクチュエータは、コンベアーの下方に配置された作動システムに含まれてもよい。
【００３３】
限定ではなく例として、特定の仕分けテーブル上のいくつかの平行なコンベアートラックの下で垂直に動作し、カップが所定の仕分けテーブルを通過するとき、これらの平行コンベアートラック上のカップからの特定のサイズと品質の農産物の排出を制御する単一の作動モジュール内に一連のアクチュエータが存在する場合がある。
【００３４】
いくつかの実施形態では、作動モジュールは、下方に搭載されて上方の一組の平行レールに垂直な中空クロス部材の形で、各仕分けビンに隣接して設けられてもよい。これらの実施形態では、１つ以上の可動アクチュエータが各レールに隣接するクロス部材上に設けられ、１つ以上の制御可能な電磁石が各アクチュエータに隣接する各クロス部材の内部に設けられる。
【００３５】
電磁石の１つをアクティブにすると（たとえば、中立から給電、またはその逆、または異なる電流レベル間など）、隣接するアクチュエータが動き、農産物を保持しているカップの片方（または両方）の脚と接触し、前述のように、カップを傾け、農産物を仕分けビンの中に落とす可能性があります。
【００３６】
与えられたビン用の電磁石とアクチュエータは、（カメラ、重量、その他のセンサーを使用して）以前にシステムで特定された農産物がそのビンのアクチュエータに到達した場合にのみ、システムによってアクティブ化されることを理解されたい。ほとんどの実施形態では、アクチュエータは、金属部品を含むか、又は、電磁石の作動がアクチュエータの動きを引き起こすように電磁場に反応する金属から作られる。
【００３７】
アクチュエータの往復運動は、磁場の方向を変えることによって達成でき、その結果、一方向にアクチュエータが上昇して農産物カップにその負荷を落とさせ、そして別の方向に下降してカップに影響を与えないように、または戻ってカップを水平に戻すために復帰するようにすることができることを理解されたい。
【００３８】
いくつかの実施形態では、１つ以上の可動ディスクが、各仕分けビンの各中空のクロス部材上またはその周りに設けられ、ディスクは、クロス部材上の可動アクチュエータに隣接する。これらの実施形態のクロス部材は、上記の一連の平行レールの下方に垂直に取り付けられ、１つ以上の制御可能な電磁石が、各ディスクに隣接する各クロス部材の内部に設けられる。
【００３９】
電磁石の１つをアクティブにすると（たとえば、中立から給電、またはその逆、または異なる電流レベル間など）、隣接するディスクがクロス部材に沿って移動し、ディスクが隣接するアクチュエータに押し付けられ、農産物を保持するカップの片方（または両方）の脚と接触して、カップを傾け、農産物を仕分けビンに落下させる。
【００４０】
摩擦を低減し、円滑な動作を与えるために、ディスクの表面は、隣接するアクチュエータの形状を補完するように特別に成形されるか、または曲げられていてもよい。所定のビン用の電磁石とディスクは、システム（カメラ、重量、その他のセンサーを使用）によって予め識別された農産物がそのビンに到達した場合にのみ、システムによってアクティブ化される必要があることを理解されたい。ほとんどの実施形態では、ディスクは、金属部品を含むか、または、電磁石の活性化がディスクをクロス部材に沿って一方向または他方向に移動させるように電磁場に反応する金属から作られる。
【００４１】
これらの実施形態では、アクチュエータ自体は必ずしも金属部品を必要としない。ディスクの横方向の動きは、磁場の方向を変えることによって達成でき、その結果、ディスクは、一方向にアクチュエータに向かって移動してアクチュエータを農産物カップの片方または両方の脚に押し込んで農産物カップを傾け、そして、別の方向にアクチュエータから離れる方向に移動してカップに影響を与えないようにしたり、またはカップを水平に戻すことがあります。
【００４２】
本発明の実施形態において、本発明の作動システムは、密封された本体内に収容され、従来の分類および運搬システムのアクチュエータと比較して、システムの乱雑さを低減する。そのような各作動システムは、それらの電気的状態（たとえば、中立から給電またはその逆、または異なる電流レベルの間など）が変化したときにカップと接触する可能性がある１つ以上の電磁アクチュエータをそなえることができる。
【００４３】
限定ではなく例として、システム内のカメラ、秤、および他のセンサーは、特定のカップ内の特定の農産物を特定の仕分けビンに属するものとして識別したかもしれない。その農産物を運ぶカップが適切な仕分けビンに到着すると、そのカップに隣接する電磁アクチュエータが作動し、カップが旋回して農産物をビンに落かさせる。その作動は、密封されたパイプ内からの電磁アクチュエータの電気的状態の変化に起因する局所的な磁場の変化によってもたらされてもよい。
【００４４】
いくつかの実施形態では、電磁的構成要素は、それらが外部に露出しないように、密封されたパイプ内に収容される。その結果、そのような作動システムは、塵埃や汚染物質を除去するために、多くの異なる洗浄プロセスにさらされる可能性があります。本発明の実施形態において、トラック、パック、ディスクおよびアクチュエータは、非腐食性材料から作製されるか、または非腐食性材料から作られた外層を有する。
【００４５】
非腐食性材料を使用すると、トラック、パック、ディスク、およびアクチュエータをさまざまな洗浄プロセス（水、水溶液、または金属を腐食する他の洗浄剤を使用するプロセスを含む）にさらし、塵埃や汚染物質を取り除くことができる。これにより、ここに開示されているシステムをより頻繁かつ効果的に洗浄することができ、それにより、システムを従来のシステムよりはるかに衛生的にすることができる。
【００４６】
いくつかの実施形態では、１つ以上のカップは、パック用のトラックに平行なカップトラックに沿って延びることができる。トラックは、仕分けテーブルまたはビンのそれぞれに最も近いセクションを備えることができる。これらのセクションのそれぞれは、トラックの位置を変更する可能性のある個別の作動機構と機械的に接続されてもよく、それによって、トラックの特定のセクションのパックが傾斜または旋回して、その上にある農産物を仕分けテーブルまたはビンに排出する。例えば、アクチュエータは、トラックのセクションを横方向に傾け、上昇させ、または下降させ、それにより、トラックのセクションに存在するカップを傾け、搬送している農産物を落下させることができる。
【００４７】
いくつかの実施形態では、カップおよびパックは、単一の一体化された部品から構成されてもよく、またカップは、パック（カップ・パック）に固定的に取り付けられてもよい。これらの実施形態では、そのようなカップから農産物を送達するための旋回動作はない。代わりに、スイーパーアームを使用するか、空気を吹き付けることで、農産物を取り除くことができる。スイーパーアームを使用する実施形態では、そのようなアームは、各ビン用の各レールの下方のクロス部材に取り付けられるアクチュエータの形態であってもよい。
【００４８】
スイーパーアームは、クロス部材の内部の隣接する電磁石によって生成される電磁場によって移動することができる金属部品から作られるか、またはそれを含んでもよい。カップ・パックは、その中に開口を備えてもよく、その開口を介してスイーパーアームが伸びることができる。これらの実施形態では、スイーパーアームが作動すると、スイーパーアームは、隣接するカップ・パックの開口を通って伸び、カップ内の農産物に接触し、それを移動させて下方のビンの中に落下させる。
【００４９】
他の実施形態では、カップ・パックは、各カップの底部に設けられる可動片を備えることができ、各可動片は、カップ・パックの開口を介して延びる少なくとも１つの脚を有する。これらの実施形態では、カップ・パックは農産物が堆積されるビンに到達すると、スイーパーアームまたはアクチュエータが作動し、それにより可動で下方に延びる脚と接触する。
【００５０】
いくつかの実施形態では、アクチュエータと脚との間の接触により、カップ内の可動片が持ち上げられ、それにより、カップ内の農産物が取り除かれる。他の実施形態では、アクチュエータは傾けられて、作動すると（例えば、上昇すると）、脚がアクチュエータに沿って移動して徐々に上方に移動し、カップの底部の可動片を徐々に上昇させ、最終的にカップの農産物をスムーズに移動させて下方のビンの中に落下させる。
【００５１】
他の実施形態では、ブルーベリーまたはチェリーなどの小さいサイズの農産物を支持するために、カップ・パックは小さくてもよい。これらのカップ・パックの実施形態では、空気の噴射を使用して、農産物をカップから下方の選択された仕分けビンに吹き出す。空気は、各クロス部材に取り付けられた空気源から供給され、空気源には、カップ・パックの上部に向けられた各レールに隣接する出口通気口が設けられる。
【００５２】
カップ・パックが選択されたビンに達すると、通気口から小さな空気の噴射が吹き付けられ、カップから下方のビンへ農産物が吹き付けられる。そのような空気弁の開閉は、クロス部材内部の電磁石を使用して達成できることを理解されたい。これらの実施形態では、通気口は、電磁場に反応する金属を含むか、またはその金属から作られる。次に、電磁石を使用して通気口を開閉することができる。通気口は、一方向に磁場を与えることによって開くことができ、別の方向に磁場を与えることによって閉じることができる。
【００５３】
本発明の仕分けシステムの実施形態に農産物を導入するために、雑多な農産物 (loose produce)を支持する複数のローラーを備える第１コンベアーシステムが提供される。これらのローラーは、パックとカップを仕分けビンの上に運ぶ第２コンベアーシステムのレールの一部と重なる第１セットの連続した平行レールに設けられる。雑多な農産物は、この重なり合った領域においてローラーから個々のカップに移される。
【００５４】
次に、最初のコンベアーのローラーを運ぶレールが下向きに曲がり、仕分けビンに運ぶためのパックとカップ（ここでは農産物を積んだ）を運ぶ第２コンベアーのレールだけが残る。ローラーは、農産物カップを支持するパックと同様の支持体の実施形態によって支持されてもよい。
【００５５】
いくつかの実施形態では、ローラー支持体は、第１コンベアーシステムのレールに跨る脚を有し、これにより、レールの側面の窪みは、脚の内側の相補的な突起と係合するか、または、レールの側面にある突起が、脚の内側の相補的な窪みに係合する。他の実施形態では、脚およびレールは一緒にあり継ぎされてもよく、そして／または支持体はレールにポップオンおよびレールからポップオフされてもよい。
【００５６】
いくつかの実施形態では、細長いガイドがレールの長さに沿って設けられてもよい。例えば、限定することなく、隆起部をレールの上面に沿って設けることができ、ローラー支持体は、隆起部と嵌合し、隆起部に沿って摺動する相補的な凹所をその下に有することができる。ローラー支持体に隆起部に係合する相補的な凹部が設けられている限り、レールの上部および／または片側または両側および／または底部を有するレールに沿った任意の適切な位置に１つ以上の隆起部を設けることができることを理解されたい。隆起部と凹所の位置を逆にすることができ、その結果、ローラー支持部は、レールの長さに沿って走る相補的な細長い凹所と係合する隆起部を備えることができることも理解されたい。
【００５７】
ローラーを支持する構造はまた、パックおよびカップを駆動する機構と同様の駆動機構と係合する外向きに延びる突出部を備えることができる。本発明の実施形態では、導入コンベアーの駆動機構は、各ローラー支持体上の１つ以上の突出部と係合するスプロケットホイールであってもよい。スプロケットの開口は、各突出部の側面に係合し、スプロケットが回転するときに、突出部とローラー支持体を第１導入コンベアーのレールに沿って前方に押す。
【００５８】
いくつかの実施形態では、スプロケットホイールは、各導入レールの各側面に１つずつ、対で設けられてもよく、ローラー支持体は、各脚の突出部がスプロケットの開口によって係合されるように、これらのレールを跨ぐ２つの脚を備えてもよい。他の実施形態では、脚自体は、スプロケットの開口によって直接係合されてもよい。ローラー支持体が第１コンベアーの下部から上部にかけて、スプロケットの周りのレールの湾曲した部分に沿って移動すると、突出部がスプロケットと噛み合い、その後、ローラー支持体は、レールの上部に沿って移動するときに、互いに押し付けられる。
【００５９】
第１導入コンベアー用のレールは、仕分けコンベアー用のレールの間にすべて平行に、短い距離で挿入されているので、雑多な農産物がローラーから個々のカップに搬送され、ローラーは、導入コンベアーシステムの下部までレールに沿って戻ってくると、脱落する。これにより、個々の農産物をカップに入れて仕分け領域まで運ぶ上部の仕分けコンベアーだけが残る。
【００６０】
他の実施形態では、特別に適合されたローラーを支持する単一のコンベアー機構が提供されてもよい。これらのローラーは、他の実施形態のカップ（ローラーキャリア）とほぼ同じ方法で個々の農産物を保持し、農産物を仕分けビンに運ぶように設計されてる。これらの実施形態は、他の実施形態と同じ連続レールおよびローラー支持（パック）構造を利用する。これらの実施形態では、複数の連続レールが互いに平行に設けられ、単一のコンベアーを形成する。
【００６１】
ローラー支持体は、運搬システムのレールをまたぐ脚を有し、レールの側面の窪みが脚の内側の相補的な突起と係合するか、または、レールの側面にある突起が、脚の内側の相補的な窪みに係合する。他の実施形態では、脚およびレールは一緒にあり継ぎされてもよく、そして／または支持体はレール上におよびレールからポップオンおよびオフされてもよい。
【００６２】
いくつかのローラーキャリアの実施形態において、細長いガイドが、レールの長さに沿って設けられてもよい。例えば、隆起部をレールの上面に沿って設けることができ、ローラー支持体は、隆起部と嵌合し、隆起部に沿って摺動する相補的な凹所をその下に有することができる。
【００６３】
補足的な凹部がローラー支持体上に設けられて隆起部に係合する限り、レールの上部および／または片側または両側および／または底部を有するレールに沿った任意の適切な位置に１つ以上の隆起が設けられてもよいことを理解されたい。隆起部と凹所の位置を逆にしてもよく、その結果、ローラー支持部に、レールの長さに沿って走る相補的な細長い凹所と係合する隆起部を設けることができることも理解されたい。
【００６４】
いくつかのローラーキャリアの実施形態では、ローラーを支持する構造は、他の実施形態のパックを駆動する機構と同様の駆動機構に係合する外側に延びる突出部も備えることができる。本発明の実施形態では、単一のコンベアーシステムの駆動機構は、各ローラー支持体上の１つ以上の突出部と係合するスプロケットホイールであってもよい。
【００６５】
スプロケットの開口は各突出部の側面に係合し、スプロケットが回転するとき、突出部およびローラー支持体をコンベアーのレールに沿って前方に押すことができる。いくつかの実施形態では、スプロケットホイールは、各レールの各側面に１つずつ、対で設けられてもよく、ローラー支持体は、各脚の突出部がスプロケット開口によって係合されるようにこれらのレールに跨る２つの脚を備えてもよい。
【００６６】
他の実施形態では、脚自体は、スプロケット開口によって直接係合されてもよい。ローラー支持体がスプロケットの周りのレールの湾曲した部分に沿ってコンベアーの下部から上部に移動すると、突出部がスプロケットに係合し、その後、ローラー支持体がレールの上部に沿って移動するときに、ローラー支持体が互いに押し付けられる。これらの実施形態の単一のコンベアー用のレールは、個々の農産物を仕分け領域に運ぶ。
【００６７】
いくつかのローラーキャリアの実施形態では、ローラー自体が、単一の農産物を保持するために特別に形作られている。ローラーは、ローラー支持体に枢動可能に取り付けられ、他の実施形態のカップの脚と同じように機能する１つ以上の下向きに延びる脚を備えており、ローラーが運んでいる農産物を排出するためにローラーを傾けることがでる。
【００６８】
ローラーキャリアの実施形態はまた、特定の仕分けビンに属するものとして特定のローラーキャリア内の特定の農産物を識別するために使用されるシステムのカメラ、スケールや他のセンサーを備える。ローラーキャリアの実施形態は、ローラーを傾けて農産物を選択したビンに落下させることが可能な、ここで説明したアクチュエータの実施形態のいずれかの形態で提供される各仕分けビンにおける各レールに隣接する磁気作動アクチュエータも備える。その結果、ローラーキャリアの実施形態は、２つのコンベアーシステムの必要性を排除する。
【００６９】
いくつかのローラーキャリアの実施形態において、ローラーおよび支持体が、単一の一体化部品から構成されるか、またはローラーが、支持体（ローラー・パック）に固定して取り付けられてもよい。これらの実施形態では、そのようなローラー・パック (roller-pucks) から農産物を放出するための旋回動作はない。代わりに、スイーパーアームを使用するか、空気を吹き付けることで、農産物を除去できる。スイーパーアームを使用する実施形態では、そのようなアームは、各ビン用の各レールの下方のクロス部材に取り付けられるアクチュエータの形であってもよい。
【００７０】
スイーパーアームは、クロス部材の内部の隣接する電磁石によって生成される電磁場によって移動することができる金属部品から作られるか、またはそれを備えることができる。ローラー・パックは、その中に開口を備えていてもよく、それを通してスイーパーアームが伸ばされてもよい。これらの実施形態では、スイーパーアームが作動すると、スイーパーアームは、ローラー内の農産物に接触する隣接するローラー・パックの開口を介して伸び、農産物を移動させ、下方のビンに落下させる。他の実施形態では、ローラー・パックは、各ローラーを備えた可動片を有し、各可動片は、ローラー・パックの開口を介して延びる少なくとも１つの脚を有する。これらの実施形態では、ローラー・パックは農産物が堆積されるビンに到達すると、スイーパーアームまたはアクチュエータが作動し、それにより可動の下方に延びる脚と接触する。
【００７１】
いくつかの実施形態では、アクチュエータと脚との間の接触により、ローラーの可動片が動かされ、それによってローラー内の農産物が取り除かれる。他の実施形態では、アクチュエータを傾けて、いったん作動すると（例えば、持ち上げると）、脚がアクチュエータに沿って移動し、徐々に上方に移動し、これにより、ローラー・パックの可動部片が徐々に持ち上げられ、最終的にローラー内の農産物がスムーズに取り外され、下方のビンに落下する。
【００７２】
他の実施形態では、ブルーベリーまたはチェリーなどの小さいサイズの農産物を支持するために、ローラー・パックは小さくてもよい。これらのローラー・パックの実施形態では、空気の噴射を使用して、農産物をローラーから下方の選択された仕分けビンに吹き出す。空気は、各クロス部材に取り付けられた空気源から供給される。空気源には、ローラー・パックの上部に向けられた各レールに隣接する出口通気口が備えられている。
【００７３】
ローラー・パックが選択されたビンに到達すると、空気の小さな噴射が通気口から吹き込まれ、小さな農産物がローラーから下方のビンに吹き付けられる。そのような空気弁の開閉は、クロス部材内部の電磁石を使用して達成できることを理解されたい。
【００７４】
これらの実施形態では、通気口は、電磁場に反応する金属を含むか、またはそれから作られる。従って、通気口の開閉に電磁石が使用される。通気口は、一方向に磁場を与えることによって開き、別の方向に磁場を与えることによって閉じることができる。
【００７５】
他の実施形態では、好ましくはないが、ローラー・キャリアの実施形態用の駆動機構はチェーンホイールであってもよいことを理解されたい。ローラー・キャリアの実施形態はまた、長いコンベアーシステムにおいてローラー支持体を前方に付勢するのを助けるために、レールの長さに沿った１つ以上の追加の位置に追加のスプロケットホイールおよび／または追加のチェーンホイールを備えてもよい。
【００７６】
一つの観点から、本発明は、互いに平行に設けられた複数の連続するレールを有する、農産物を搬送するためのコンベアー装置を備え、各レールは、上面、底面、および対向側面を有し、各レールの上面は滑らかで、連続的な窪みが各側面に沿って設けられる。複数のパックが各レールに設けられ、各パックは、脚の間に開口を形成する一対の脚を備え、各脚の内面は、窪みに沿って摺動するために各レールの側面の窪みと相補的な形状を有する突起を備える。外側に延びる突出部が各脚の外面に設けられている。複数の平行なスプロケットホイールは各レールの湾曲部分に隣接して設けられ、各ホイールは、各レールの対向側面に設けられる１つまたは２つの回転可能な平行ディスクを備え、各ディスクは、前記パックを前記レールに沿って付勢するために前記パックの突出部に係合する複数のスプロケットを備える。
【００７７】
いくつかの観点から、少なくとも１つの追加のスプロケットホイールが各レールの別の部分に隣接して設けられ、各追加のホイールは、各レールの対向側面に設けられた２つの回転可能な平行ディスクを備え、各ディスクは、前記レールに沿って前記パックをさらに付勢するために、前記パックの突出部に係合する複数のスプロケットを備える。
【００７８】
いくつかの観点から、各パックは、農産物を保持するために、それに枢動可能に取り付けられた可動カップをさらに備えることができる。
【００７９】
別の観点において、本発明は、農産物を選択的に放出するための装置を備えることができ、その装置は、中心軸を有するレールと、前記レールに沿って移動するために設けられ少なくとも１つの開口を備えた少なくとも１つのパックと、農産物を保持するために各パック上にあって少なくとも１つの下向きに延びる脚とパックの前記少なくとも１つの開口に配置された旋回軸とを有する可動カップと、少なくとも１つの制御可能な電磁石を収容し前記レールの軸に垂直な向きを有する前記レールの下に取り付けられた少なくとも１つの中空のクロス部材と、前記電磁石が作動するときにカップの脚に選択的に接触して前記カップを旋回させ前記農産物を放出させるための、前記レールおよび前記少なくとも１つの電磁石に隣接する前記クロスバー上の少なくとも１つの可動アクチュエータとを備える。
【００８０】
いくつかの観点において、各カップは一対の下方に伸びる脚を備え、各脚は前記レールの各側面にあり、前記少なくとも１つの可動アクチュエータは２つの平行なリフトアームを備え、そのアームの各々は前記脚の位置に対応するレールのそれぞれの側面に設けられ、前記リフトアームの一方は、前記リフトアームの他方よりも長い。
【００８１】
いくつかの観点において、少なくとも１つの可動ディスクが、各アクチュエータに隣接する各クロス部材の周りに設けられ、前記電磁石が作動したときに前記クロス部材に沿って選択的に移動してそのようなアクチュエータに接触する。
【００８２】
別の観点において、本発明は、互いに平行に設けられた複数の連続レールを有して農産物を搬送するためのコンベアー装置を備えることができ、各レールは、滑らかな外部上面、底面、および対向側面を有し、少なくとも１つの連続する嵌合表面は、前記表面の少なくとも１つに沿って設けられる。各レールに設けられた複数のパックの各々は、脚間に開口を形成する一対の脚を備え、前記開口の少なくとも１つの内面は、各レールの嵌合面に相補的な嵌合面を備える。
【００８３】
他の観点において、各レールの各側面に沿って連続的な窪みが設けられ、各パックの脚の内面は、そのような窪みに沿って摺動するために各レールの側面の窪みと相補的な形状を有する突起を備える。
【００８４】
他の観点において、外側に延びる突出部が各脚の外面に設けられ、複数の平行なスプロケットホイールが設けられ、各ホイールは各レールの湾曲部分に隣接し、各ホイールは各レールの対向側面に設けられる１つまたは２つの回転可能な平行ディスクを備え、各ディスクは、レールに沿ってパックを付勢するために、レールの湾曲部分の周りを移動するときにパックの突出部に係合する複数のスプロケットを備える。
【００８５】
他の観点において、１つ以上のチェーン駆動ホイールが各レールの湾曲部分に隣接して設けられ、前記パックを前記レールに沿って付勢するためにレールの湾曲部分の周りを移動するときに前記パックの脚に係合する。
【００８６】
別の観点において、本発明は、互いに平行に設けられた複数の連続レールを備えた、農産物を搬送するためのコンベアー装置を備えることができ、各レールは、滑らかな外部上面、底面、および対向側面を有し、少なくとも１つの連続嵌合表面は、前記表面の少なくとも１つに沿って設けられる。複数のパックが各レールに設けられ、各パックは、そのようなレールを跨ぐための脚の間の開口を形成する一対の脚を備え、そのような各開口の少なくとも１つの内面は、パックとレールの間の摺動可能な係合のための各レール上の嵌合面に相補的な嵌合面を備える。
【００８７】
他の観点において、コンベアー装置は、各レールの各対向側面に沿って設けられた連続的な窪みを備えることができ、各パックの脚の各内面は、各レールの対応する側面の窪みと相補的な形状を有する突起を備える。
【００８８】
他の観点において、コンベアー装置は、各パックの脚の外面に設けられた外側に延びる突出部を備えることができ、その装置は、複数の平行スプロケットホイールをさらに備え、各ホイールは、各レールの湾曲部分に隣接して設けられ、各ホイールは、前記レールに沿って前記パックを付勢するためにレールの湾曲部分の周りを移動するときに前記パックの突出部に係合するための複数のスプロケットを備える。
【００８９】
他の観点において、コンベアー装置は、各パックの脚の外面に設けられた外側に延びる突出部を備えることができ、その装置は、複数の平行スプロケットホイールをさらに備え、各ホイールは、各レールの湾曲部分に隣接して設けられ、そのような各レールの対向側面に設けられた２つの回転可能な平行ディスクを備える。各ディスクは、前記パックを前記レールに沿って付勢するためにレールの湾曲部分の周りを移動するときに前記パックの突出部に係合する複数のスプロケットを備える。
【００９０】
コンベアー装置は、各レールの別の部分に隣接して設けられた少なくとも１つの追加のスプロケットホイールを備えることができ、各追加のホイールは、各レールの対向側面に設けられた２つの回転可能な平行ディスクを備え、各ディスクは前記パックを前記レールに沿ってさらに付勢するために、前記パックの突出部に係合するための複数のスプロケットを備える。他の観点において、コンベアー装置はチェーン駆動ホイールを備えることができ、チェーン駆動ホイールはパックを前記レールに沿って付勢するために、レールの湾曲部分の周りを移動するときにパックの少なくとも一方の脚に係合するために、各レールの湾曲部分に隣接して設けられる。
【００９１】
他の観点において、コンベアー装置は、１つ以上のパックを備えることができ、各パックはさらに、農産物を保持するために枢動可能に取り付けられた可動カップと、前記カップの縁部に位置する少なくとも１つの下向きに延びる脚とを備え、前記コンベアーはさらに、前記レールの軸に垂直な向きを有する前記レールの下方に取り付けられた少なくとも１つの中空のクロス部材を備え、そのような各クロス部材は、各レールに隣接する少なくとも１つの制御可能な電磁石と、各レールに隣接し、かつ、少なくとも１つの電磁石に隣接する前記クロスバー上の少なくとも一つの可動アクチュエータとを収容し、可動アクチュエータは、前記電磁石が作動すると、前記カップの一つの脚に選択的に接触し、前記カップを旋回させ、前記農産物を放出させる。他の観点において、各カップは、一対の下方に伸びる脚を備え、各脚は前記レールの各側面にあり、前記少なくとも１つの可動アクチュエータは、２つの平行なリフトアームを備え、各アームは、脚の位置に対応して前記レールの各側面に設けられる。ここで、前記リフトアームの一方は、前記リフトアームの他方よりも長い。
【００９２】
コンベアー装置は、各電磁石が作動したときにそのようなアクチュエータに接触するように前記クロス部材に沿って選択的に移動する各アクチュエータに隣接する各クロス部材の周りに設けられた少なくとも１つの可動ディスクを備えることができる。
【００９３】
他の観点において、コンベアー装置は、農産物を保持するために各パックに固定して取り付けられたカップと、下向きに延びる脚を有する、前記カップ内の少なくとも１つの可動部材とを備え、かつ、少なくとも１つの中空のクロス部材をさらに備える。クロス部材は、前記レールの軸に垂直な向きを有し、前記レールの下に取り付けられる。そのような各クロス部材は、各レールに隣接する少なくとも１つの制御可能な電磁石と、各レールに隣接し、かつ、少なくとも１つの電磁石に隣接する、クロスバー上の少なくとも１つの可動アクチュエータとを収容し、可動アクチュエータは電磁石が作動したときに前記可動部材の１つの脚に選択的に接触して、可動部材を上昇させ、農産物片を放出させる。
【００９４】
コンベアー装置は、第２コンベアーを備えることができ、前記第２コンベアーは、互いに平行に設けられ、その長さの一部にわたって前記第１の複数の連続レールに挿入される第２の複数の連続レールを備える。前記第２の複数のレールは、滑らかな外部上面、底面、および対向側面を有し、少なくとも１つの連続的な嵌合面が、前記面の少なくとも１つに沿って設けられる。複数のキャリアが各第２レール上に設けられ、各キャリアは、そのようなレールを跨ぐためのキャリア脚間の開口を形成する一対の脚を備え、各そのようなキャリア脚の開口の少なくとも１つの内面は、キャリアとレールの間の摺動可能な係合のために、そのような各レール上の嵌合面に相補的な嵌合面を備える。
【００９５】
他の観点において、コンベアー装置は、各第２のレールの各対向側面に沿って設けられる連続的な窪みを備えることができ、各キャリア脚の各内面は、そのような各レールの対応する側面上の窪みに相補的な形状を有する突起を備える。
【００９６】
他の観点において、コンベアー装置は、各キャリア脚の外面に設けられた外側に延びる突出部を備えることができ、装置は、第２の複数の平行スプロケットホイールをさらに含み、各第２のホイールは、各第２のレールの湾曲部分に隣接して設けられ、各第２のホイールは、前記キャリアを前記レールに沿って付勢するために前記レールの湾曲部分の周りを移動するときに前記キャリアの突出部に係合する複数のスプロケットを備える。
【００９７】
他の観点において、コンベアー装置は、各キャリア脚の外面に設けられた外側に延びる突出部を備えることができ、装置は、第２の複数の平行スプロケットホイールをさらに備え、各ホイールは、各第２のレールの湾曲部分に隣接して設けられ、そのような各第２のホイールは、そのような各レールの対向側面に設けられた２つの回転可能な平行ディスクを備え、各ディスクは、キャリアを前記に沿って付勢するために前記レールの湾曲部分の周りを移動するときに、キャリアの突出部に係合するための複数のスプロケットを備える。
【００９８】
他の観点において、本発明は、農産物を選択的に放出するための装置を備えることができ、その装置は、中心軸を有する少なくとも１つのレールと、前記少なくとも１つのレールに沿って移動するために設けられた少なくとも１つのパックと、少なくとも１つの下向きに延びる脚を有し農産物を保持するために各パックに枢動可能に取り付けられた可動カップと、前記少なくとも１つのレールの軸に垂直な向きを有する前記少なくとも１つのレールの下に取り付けられ前記少なくとも１つのレールに隣接する少なくとも１つの制御可能な電磁石を収容する少なくとも１つの中空のクロス部材と、前記少なくとも１つのレールに隣接し、かつ、前記カップの１つの脚に選択的に接触する前記少なくとも１つの電磁石に隣接する前記クロスバー上の少なくとも１つの電磁可動アクチュエータとを備え、前記電磁石が作動するときに前記カップを旋回させ、前記農産物を放出する。
【００９９】
他の観点において、その装置は、一対の下方に延びる脚を有する各カップを備えることができ、各脚は、少なくとも１つのレールの各側面にあり、少なくとも１つの可動アクチュエータは、２つの平行なリフトアームを備え、１つのリフトアームは、前記脚の位置に対応する前記レールの各側面に設けられ、前記リフトアームの一方が、前記リフトアームの他方よりも長い。
【０１００】
他の観点において、その装置は、各電磁石が作動したときに、そのようなアクチュエータに接触するように前記クロス部材に沿って選択的に移動する各アクチュエータに隣接する各クロス部材の周りに設けられた少なくとも１つの電磁可動ディスクを備えることができる。
【０１０１】
他の観点において、その装置は、互いに平行に設けられた複数の連続レールを備えることができ、各レールは、滑らかな外部上面、底面、および対向側面を有し、少なくとも１つの連続嵌合面が少なくとも１つの前記面に沿って設けられ; 前記少なくとも１つのパックは、各レール上に設けられた複数のパックを備え、各パックは、そのようなレールを跨ぐために脚の間に開口を形成する一対の脚を備え、そのような各開口の少なくとも１つの内面は、パックとレール間の摺動可能な係合のために、各レールの嵌合面に補足的な嵌合面を備える。
【０１０２】
他の観点において、その装置は、各レールの各対向側面に沿って設けられた連続的な窪みを備えることができ、各パック脚の各内面は、各レールの対応する側面の窪みと相補的な形状を有する突起を備える。
【０１０３】
他の観点において、その装置は、各パック脚の外面に設けられた外側に延びる突出部を備えることができ、その装置は、複数の平行スプロケットホイールをさらに備え、各ホイールは、各レールの湾曲部分に隣接して設けられ、各ホイールは、前記パックを前記レールに沿って付勢するために、レールの湾曲部分の周りを移動するときに、前記パックの突出部に係合する複数のスプロケットを備える。
【０１０４】
他の観点において、その装置は、各パック脚の外面に設けられた外側に延びる突出部を備えることができ、その装置は、複数の平行スプロケットホイールをさらに備え、各ホイールは、各レールの湾曲部分に隣接して設けられ、各ホイールは、このような各レールの対向側面に設けられた２つの回転可能な平行ディスクを備え、各ディスクは、前記パックを前記レールに沿って付勢するためにレールの湾曲部分の周りを移動するときに前記パックの突出部に係合する複数のスプロケットを備える。
【０１０５】
他の観点において、本発明は、農産物を選択的に放出するための装置を備えることができ、その装置は、中心軸を有する少なくとも１つのレールと、前記少なくとも１つのレールに沿って移動するために設けられた少なくとも１つのパックと、下向きに延びる脚を有する少なくとも１つの可動部材を有し農産物を保持するために各パックに固定して取り付けられたカップと、前記少なくとも１つのレールの軸に垂直な向きを有する前記少なくとも１つのレールの下に取り付けられ前記少なくとも１つのレールに隣接する少なくとも１つの制御可能な電磁石を収容する少なくとも１つの中空のクロス部材と、前記少なくとも１つのレールに隣接し、かつ、前記可動部材の１つの脚に選択的に接触する前記少なくとも１つの電磁石に隣接する前記クロスバー上の少なくとも１つの電磁可動アクチュエータとを備え、前記電磁石が作動するときに前記可動部材に前記農産物を移動させる。
【０１０６】
他の観点において、その装置は、互いに平行に設けられた複数の連続レールを備えることができ、各レールは、滑らかな外部上面、底面、および対向側面を有し、少なくとも１つの連続嵌合面が、少なくとも前記面の１つに沿って設けられ、前記少なくとも１つのパックは、各レール上に設けられた複数のパックを備え、各パックは、そのようなレールを跨ぐために脚の間に開口を形成する一対の脚を備え、そのような各開口の少なくとも１つの内面は、パックとレール間の摺動可能な係合のために、各レールの嵌合面に相補的な嵌合面を備える。
【０１０７】
他の観点において、その装置は、各レールの各対向側面に沿って設けられる連続的な窪みを備えることができ、各パックの脚の各内面は、各レールの対応する側面の窪みに相補的な形状を有する突起を備える。
【０１０８】
他の観点において、その装置は各パック脚の外面に設けられた外側に延びる突出部を備えることができ、その装置は複数の平行スプロケットホイールをさらに備え、各ホイールは各レールの湾曲部分に隣接して設けられ、各ホイールは前記パックを前記レールに沿って付勢するために、それらがレールの湾曲部分の周りを移動するときに、前記パックの突出部に係合するための複数のスプロケットを備える。
【０１０９】
他の観点において、その装置は各パック脚の外面に設けられた外側に延びる突出部を備えることができ、その装置は複数の平行スプロケットホイールをさらに備え、各ホイールは各レールの湾曲部分に隣接して設けられ、各ホイールはそのような各レールの対向側面に設けられた２つの回転可能な平行ディスクを備え、各ディスクは、前記パックを前記レールに沿って付勢するためにレールの湾曲部分の周りを移動するときに前記パックの突出部に係合する複数のスプロケットを備える。
【０１１０】
従って、本発明の目的は、システム内の汚染物質および塵埃の蓄積を最小限に抑える衛生的な搬送および選別システムを提供することである。
【０１１１】
また、本発明の目的は、洗浄が容易であり、損傷または劣化を引き起こすことなく多くの強力な洗浄剤に曝され得る搬送および選別システムを提供することである。
【０１１２】
また、本発明の目的は、複数の耐荷重パックが、ローラーチェーン上で運ばれる代わりに、スプロケットホイールを使用して複数の滑らかなレールに沿って付勢される運搬および仕分けシステムを提供することである。
【０１１３】
また、本発明の目的は、複数のパックを有する運搬および選別システムを提供することであり、各パックは、磁気操作アクチュエータによりカップ内の農産物を放出するために傾けることができる旋回式に取り付けられた農産物運搬カップを支持する。
【０１１４】
また、本発明の目的は、複数のクロス部材を有する運搬および選別システムを提供することであり、各仕分けビンに少なくとも１つのクロス部材があり、クロス部材は、磁気作動アクチュエータをその上に有し、カップ内の農産物をビンに放出するために旋回式に取り付けられた農産物搬送カップ選択的に接触する。
【０１１５】
また、本発明の目的は、複数のクロス部材を有する運搬および選別システムを提供することであり、各クロス部材は、農産物搬送カップに接触するための複数の磁気作動アクチュエータを支持し、機械的および磁気的素子がクロス部材および／またはアクチュエータの内部に設けられる。
【０１１６】
また、本発明の目的は、複数の磁気作動アクチュエータおよびディスクを支持する複数のクロス部材を有し、機械および磁気素子がクロス部材および／またはアクチュエータおよび／またはディスクの内部に設けられる、搬送および仕分けシステムを提供することである。
【０１１７】
また、本発明の目的は、運搬および作動要素の構造が滑らかな外面を有し、細菌、汚染物質および塵埃による潜在的な汚染を低減し、徹底的な洗浄のためにそれらに容易にアクセスできるようにする運搬および選別システムを提供することである。
【０１１８】
また、本発明の目的は、洗浄を殆ど必要としせず、より長い連続動作時間およびより高い効率を可能にする運搬および仕分けシステムを提供することである。
【０１１９】
また、本発明の目的は、洗浄のために迅速かつ容易に分解することができる運搬および選別システムを提供することである。
【０１２０】
本発明の追加の態様および目的は、本明細書の詳細な説明および特許請求の範囲から明らかになるであろう。
【図面の簡単な説明】
【０１２１】
【図１】図１は、本発明の実施形態によるコンベアーシステムの側面図である。
【図２】図２は、図１のコンベアーシステムの実施形態の斜視図である。
【図３】図３は、本発明の実施形態によるコンベアーシステムの拡大図であり、第１コンベアーのローラーおよび支持体が取り除かれている。
【図４】図４は、本発明の実施形態によるコンベアーシステムの拡大側面図である。
【図５】図５は、本発明の実施形態によるコンベアーシステムの上面図である。
【図６】図６は、本発明の実施形態によるコンベアーシステムの拡大斜視図であり、ローラーおよび支持体のいくつかが取り除かれている。
【図７】図７は、本発明の実施形態によるコンベアーシステムの拡大斜視図であり、カップおよびパックのいくつかが取り除かれている。
【図８】図８は、本発明の実施形態のパック（カップ支持体）の実施形態の斜視図である。
【図９】図９は、本発明の実施形態の農産物分配およびアクチュエータ機構の実施形態の斜視図である。
【図１０】図１０は、本発明の実施形態の農産物分配およびアクチュエータ機構の実施形態の端面図である。
【図１１】図１１は、図１０に示される農産物分配およびアクチュエータ機構の斜視図である。
【図１２】図１２は、本発明の実施形態の複数の農産物分配およびアクチュエータ機構の斜視図である。
【図１３】図１３は、本発明の実施形態のローラー支持体の実施形態の斜視図である。
【図１４】図１４は、本発明の実施形態のアクチュエータの斜視図である。
【図１５】図１５は、レールに搭載された本発明の実施形態のパック（カップ支持体）の実施形態の斜視図である。
【図１６】図１６は、本発明の実施形態のカップ、パック、レールおよびアクチュエータの実施形態の斜視図である。
【図１７】図１７は、本発明の実施形態のカップ、パック、およびレールの実施形態の斜視図である。
【図１８】図１８は、内部電磁石を示す本発明のクロス部材の実施形態の断面図である。
【０１２２】
（詳細な説明）
次に、添付の図面に例が示されている本発明の特定の実施形態を詳細に参照する。本発明はこれらの実施形態を参照して説明されるが、それらは本発明を限定することを意図していないことが理解されるであろう。逆に、本発明は、特許請求の範囲によって定義される本発明の精神および範囲内に含まれる代替物、修正物、および同等物をカバーすることを意図している。以下の開示では、本発明の完全な理解を提供するために特定の詳細な説明が与えられている。しかしながら、当業者には、本発明がこれらの特定の詳細な説明なしで実施され得ることが明らかであろう。
【０１２３】
複数の図を通して同じ参照文字が、同じまたは対応する部品を示す図面を参照すると、本発明は、複数のスライディングパックを支持する複数の連続レールを利用する搬送および仕分けシステムのさまざまな実施形態を含むことがわかる。これらのスライディングパックは、複数のスプロケットホイールを使用して前方に付勢され、磁気作動式起動部品を利用して、パックによって運ばれるカップから仕分けビンに農産物を選択的に落し込む。
【０１２４】
図１〜７を参照すると、図示された実施形態は、雑多な（loose）農産物を支持するための第１コンベアーシステム１１と、農産物を仕分けするための第２コンベアーシステム３１とを備えることが分かる。第１および第２コンベアーは、雑多な農産物が第１コンベアーのローラー１３から第２コンベアーのカップ４５に移送される領域「Ａ」で重なり合う。以下に述べるように、他の実施形態では、雑多な農産物を支持し、選別のためにそれを搬送する単一のコンベアーシステムが備えられてもよい。
【０１２５】
図示された実施形態の図３の詳細を参照すると、第１コンベアーシステム１１は、一端で複数のスプロケットホイール１５の周りに延びるレールを形成する複数の連続した平行なレール１２を備えることが分かる。レール１２は、コンベアー１１の上部領域に沿って移動し、次に、１９で下方に曲がり、コンベアーの下部領域に達してから、スプロケットホイール１５に戻る。
【０１２６】
図６の詳細を参照すると、これらの実施形態では、ローラー１３を支持し、第１コンベアーシステム１１のレール１２に沿って移動する複数のローラー支持体２２が設けられていることが分かる。各支持体２２は、一対の下向きに延びる脚２３ａ、２３ｂを備える。支持体２２およびレール１２は、それらがそれらに沿って摺動するときに支持体２２をレール１２上に保持する対応する嵌合面（mating surface）を備えている。
【０１２７】
これらの実施形態では、各脚２３は、内面に突起(protrusion)２４ａ、２４ｂを備え、外面に突出部 (lug)２５ａ、２５ｂを備えている。突起２４は、支持体２２がレール１２に沿って摺動し、支持体２２をレール１２上に保持するときに、レール１２に沿って対応する細長い窪みに摺動可能に係合する。
【０１２８】
異なる実施形態では、細長い突起がレール１２に設けられ、対応する窪みが支持体２２に設けられるように、これらの嵌合面を交換することができることを理解されたい。また、或る実施形態においては、支持体２２またはレール１２の一方の窪みまたは突起、および支持体２２またはレール１２の他方の相補的な突起または窪みを備えるレールおよび支持体に対して嵌合面を設けることができる。
【０１２９】
支持体２２がスプロケットホイール１５の周りをレール１２に沿って移動するとき、支持体２２の外面の突出部２５はホイール１５の開口１６に係合する。ホイール１５は支持体２２に動きを与え、レール１２に沿ってそれらを押す。好ましい実施形態では、各スプロケットは、図３および図６に示すように、一対のホイール１５ａ、１５ｂを備える。一方のスプロケットホイール１５ａの開口１６ａが支持体２２の一方の側面の突出部２５ａと係合し、他方のスプロケットホイール１５ｂの開口１６ｂが支持体２２の他方の側面の突出部２５ｂと係合する。別の実施形態では、スプロケットホイール１５は、支持体２２の脚と係合するチェーンリンク間にギャップを有するチェーンホイールで置き換えることができる。
【０１３０】
図示の実施形態では、各支持体２２は対応するローラー１３を保持し、ローラー１３は、第１コンベアーシステムに導入される農産物片を緩く支持するために使用される。支持体２２が第１コンベアーのレール１２に沿って駆動されると、農産物はローラー１３によって前方に移動する。
【０１３１】
図２および図３に示すように、第１コンベアーのレール１２は、第２コンベアーのレール３２の間に挟まれる。図１，４及び５に示すように、レール１２および３２の両方のセットは、平行に設けられ、領域「Ａ」において互いに隣接している。この領域（Ａ）では、雑多な農産物がローラー１３から第２のコンベアー上のカップ４５に移送される。第１のコンベアーのレール１２は、領域「Ａ」の端でドロップアウトし、１９で下方に曲がってスプロケットホイール１５に戻るように旋回し、支持体２２およびローラー１３がそれらに沿って移動する。
【０１３２】
図１、８−１２および１４−１８に示される実施形態を参照すると、第２コンベアーシステム３１は、カップ４５を支持して第２コンベアーシステム３１のレール３２に沿って移動する複数のパック３３を備えることが分かる。各パック３３は一対の下方に延びる脚３４ａ、３４ｂを備える。パック３３およびレール３２は、パック３３がレール３２に沿って摺動するときに、パック３３をレール３２上に保持する対応する嵌合面を備えている。図示する実施形態では、各脚３４は、図８−１１に示すように、内面に突起３６ａ、３６ｂを、外面に突出部３７ａ、３７ｂを備えている。
【０１３３】
パック３３がこれらのレールに沿って摺動し、パック３３をレール３２上に保持するとき、突起３６はレール３２の側面に沿って、対応する細長い窪み４０ａ、４０ｂに摺動可能に係合する。異なる実施形態では、細長い突起がレール３２上に設けられ、対応する窪みがパック３３上に設けられ得るように、これらの嵌合面は交換されてもよいことが理解されるべきであるまた、他の実施形態では、他の嵌合面が、パック３３またはレール３２の一方の窪みまたは突起、およびパック３３またはレール３２の他方の相補的な突起または窪みを有するレールおよび支持体に設けられてもよい。
【０１３４】
パック３３がホイール３５の周りのレール３２に沿って移動するとき、パック３３の外面上の突出部３７は、スプロケットホイール３５の開口３９と係合する。ホイール３５は、トラック３２に沿ってそれらを付勢するパック３３に動きを与える。好ましい実施形態では、各スプロケットは、図４および７に示されるように、一対のホイール３５ａ、３５ｂを備え、それにより、一方のスプロケットホイール３５ａの開口３９ａは、パック３３の片側の突出部３７ａと係合し、他方のスプロケットホイール３５ｂの開口３９ｂは、パック３３の反対側の突出部３７ｂと係合する。他の実施形態では、スプロケットホイール３５は、パック３３の脚と係合するチェーンリンクの間にギャップを有するチェーンホイールによって置き換えられてもよい。
【０１３５】
図９−１２と１４−１８に示された実施形態を参照する。レール３２に沿って摺動するパック３３によって支持される複数のカップ４５が設けられいることが分かる。図示された実施形態では、各カップ４５は、その外縁に一対の脚４６ａ、４６ｂを備えている。。本発明のいくつかの実施形態では、以下に説明するように、カップ４５は単一の脚４６を設けることができることを理解されたい。各仕分けビンには、レール３２の下に延在し、レールに対して垂直に向けられているクロス部材５０が設けられている（図１２および１８参照）。
【０１３６】
クロス部材５０は、図示された実施形態に示されるように、中空管の形態であってもよい。各レール３２の下で、可動アクチュエータ５２がクロス部材５０上に設けられる。各クロス部材５０は中空の内部を有し、中空の内部を備える限り任意の適切な断面形状（例えば、円形、楕円形、正方形、長方形、六角形など）を有することができる。図に示す実施形態では、クロス部材５０は、中空のパイプまたはチューブの形態を備える。各アクチュエータ５２は、傾斜部分を有する一対のアーム５１ａ、５１ｂを備える。アーム５１ａ、５１ｂが取り付けられた各アクチュエータ本体５２は、一方のアーム（図では５１ｂ）が他方のアーム（５１ａ）より短いことを除いて、馬蹄形と同様の形状を有することができる。（図１４参照）
【０１３７】
アーム５１ａ、５１ｂは、各レール３２の対向側面に配置される。アクチュエータ５２は、好ましくは旋回軸として機能する単純なピンを使用して、クロス部材５０に移動可能に取り付けられる。少なくとも１つの電子制御電磁石６１は、各アクチュエータ５２の中空クロス部材５０の内側に設けられる。いくつかの実施形態では、各アクチュエータ５２は、クロス部材５０の内側の隣接する電磁石によって生成される電磁場に応答する金属部品を備えるか、またはそれから作られる。各アクチュエータは、そのようなアクチュエータに隣接する電磁場を変化させることによって移動させることができる。作動時には、アクチュエータ５２はアーム５１を上向きに持ち上げ、非作動には、アクチュエータ５２のアーム５１は引っ込められる。
【０１３８】
図９−１２および１８は、本発明のアクチュエータ５２の実施形態の動作を示す。アクチュエータ５２は、各仕分けビンに各レールに沿って設けられることを理解されたい。アクチュエータ５２は、隣接するレール３２に沿ってカップに入れて運ばれている農産物がそのアクチュエータに結合された仕分けビンに排出されるときにのみ作動する。その特定の農産物を排出するためのビンの選択は、農産物がコンベアー３１を介して通過するときに農産物を評価するカメラ、秤、および／または他のセンサーによって得られた情報によって行われる。
【０１３９】
識別された農産物を運ぶカップ４５が、それが置かれるビンのクロス部材５０に到達すると、そのカップ４５を運ぶレール３２に結合するアクチュエータ５２用の電磁石６１が作動する。これにより、アクチュエータのアーム５１ａ、５１ｂが上昇する。アーム５１が上昇すると、それらはカップ４５の脚４６ａ、４６ｂと接触し、カップ構造全体が水平に保ちながら上昇する。これにより、カップ４５を支持する旋回軸４１が、スロット３１の外の下の位置（図１７）からパック３３（図９）の開放領域３８まで上昇する。
【０１４０】
旋回軸４１が開放領域３８にあると、カップ４５は一方向または他の方向に自由に旋回でき、それによって運搬中の農産物が落下する。図９−１１に示されるように、脚の１つ（図示の実施形態では４６ｂ）が短い方のアーム（図示の実施形態では５１ｂ）の端に到達すると、支持が失われ、カップ４５がその脚（４６ｂ）の方向に傾斜し、運搬中の農産物が落下する。これが起こった後、電磁石６１は、両方のアーム５１ａ、５１ｂを後退させる磁界を逆転させ、カップ４５を水平に戻し、旋回軸４１をスロット３１に戻す。
【０１４１】
図９および図１６に示すように、アーム５１ａ、５１ｂを備えた各アクチュエータ５２が、クロス部材５０の内側の隣接する電磁石６１の作動によって直接動かされてもよいことは、理解されるべきである。しかし、図１０−１２および図１８に示されているような他の実施形態では、図示の実施形態では、１つ以上のディスク５３がクロス部材５０上に設けられ、少なくとも１つのディスクが各アクチュエータ５２に隣接する。図示する実施形態では、２つのディスク５３ａ、５３ｂが各アクチュエータ５２用のレール３２の両側に１つずつ、設けられている。
【０１４２】
ディスク５３は、部分的または完全に金属で作られてもよく、そして／またはクロス部材５０内部の１つ以上の隣接する電磁石６１によって生成される磁場に反応することができる金属部分を含んでもよい。ディスク５３は、クロス部材５０の長手に沿って移動でき、隣接する電磁石６１によって生成される磁場を変化させることによって、クロス部材５０に沿って一方向又は他の方向に移動する。図示する実施形態では、１つ以上の電磁石６１を一方向に作動させると、両ディスク５３を内部へ、レール３２の方へ移動させる磁場が形成される。ディスク５３は、好ましくは、アーム５１と滑らかに接触する傾斜した（円錐の）内部部分５４を備える。
【０１４３】
この接触により、アーム３２がレール３２のいずれかの側面に持ち上げられ、カップ４５の脚４６が持ち上げられる。他の実施形態で説明したように、一方のアーム（たとえば、５１ｂ）が、他方のアーム（たとえば、５１ａ）より短い場合があるが、その場合には、対応する脚（４６ｂ）が短い方のアーム（５１ｂ）の端に到達すると、脚は支持を失い、落下し、カップ４５を下向きに旋回させ、運んでいる農産物を落下させる。これが発生した後、１つ以上の電磁石６１が、両方のディスク５３ａ、５３ｂをレール３２から離れる対向方向に移動させる磁場を反転させ、アクチュエータアーム５１を落下させ、カップ４５を水平に戻し、旋回軸４１をスロット３１に戻す。
【０１４４】
図１０〜１２に示す実施形態は、レール３２の対向側面にある２つのディスク５３ａと５３ｂを示すが、他の実施形態では、アクチュエータ５２の如何なる部分の動きもまた、接続されたアーム５１ａ、５１ｂの両方を動かすので、単一のディスク５３が、アクチュエータ５２の同じ動きを達成するために中空部材５０の内側の隣接する電磁石６１に沿って、レール３２の一方または他方側面に設けられることができることを理解されたい。
【０１４５】
他の実施形態では、カップ４５は、一側面または逆の側面に単一の脚４６を備えることができる。これらの実施形態では、アクチュエータ５２は、単一の脚４６に対応する唯一のアーム５１を有する。上昇すると、アーム５１は脚４６に接触し、カップ４５に、運搬中のあらゆる農産物をひっくり返して落下させる。
【０１４６】
各クロス部材５０は、汚染物がクロス部材５０の内部に入ったり届いたりしないように、コンベアーの側面に密閉して取り付けられることが望ましい。電磁石６１の内部配置によって、それらは外部汚染から保護され、システム内のこれらの構成部品の外部露出が最小化され、それにより、システムの外部表面に汚染物質が蓄積する可能性が低減され、システムの洗浄が容易になる。同様に、ディスク５３、アクチュエータ５２、およびアーム５１は滑らかな外面で完全に囲まれており、汚染物質の蓄積の可能性も最小限に抑え、効率的な洗浄を可能にする。
【０１４７】
他の実施形態では、雑多な農産物を支持し、それを選別のために搬送する単一のコンベアーシステムが提供されてもよい。このような実施形態では、第１コンベアー１１が除去され、第２コンベアーが改造されて、複数のパック３３がローラーキャリア４９（図示せず）の代替バージョンを支持し、コンベアーシステムのレール３２に沿って移動する。雑多な農産物がコンベアーの最初の部分に導入され、農産物片は、農産物を傷つけることなく、かつ、個々の農産物片を保持するように成形された個々のローラーキャリア４９へ移動する。
【０１４８】
先に説明した他の実施形態の第２コンベアーと同様に、各パック３３は、下向きに延びる一対の脚３４ａ、３４ｂを備えることができる。パック３３およびレール３２は、それらがそれらに沿って摺動するときに、パック３３をレール３２上に保持する対応嵌合面を備えている。各脚３４は、内面に突起３６ａ、３６ｂを備え、外面に突出部３７ａ、３７ｂを備えている。
【０１４９】
パック３３がこれらのレールに沿って摺動し、パック３３をレール３２上に保持するとき、突起３６は、対応する細長い窪み４０ａ、４０ｂに、レール３２の側面に沿って摺動可能に係合する。異なる実施形態では、嵌合面は、細長い突起がレール３２上に設けられ、対応する窪みがパック３３上に設けられるように交換されてもよいということは、評価されるべきである。また、いくつかの実施形態では、他の嵌合面が、パック３３又はレール３２の一方の凹部又は突起、およびパック３３またはレール３２の他方の相補的な突起または凹部を備えるレール及び支持体用に設けられてもよい。
【０１５０】
パック３３がホイール３５の周りをレール３２に沿って移動するとき、パック３３の外面上の突出部３７は、スプロケットホイール３５の開口３９と係合する。ホイール３５は、トラック３２に沿ってそれらを付勢するパック３３に運動を与える。好ましい実施形態では、各スプロケットは、一対のホイール３５ａ、３５ｂを備え、それにより、スプロケットホイール３５ａの一方の開口３９ａは、パック３３の一方の側面の突出部３７ａと係合し、他方のスプロケットホイール３５ｂの開口３９ｂは、パック３３の他方の側面の突出部３７ｂと係合する。他の実施形態では、スプロケットホイール３５は、パック３３の脚と係合するチェーンリンク間にギャップを有するチェーンホイールによって置き換えられてもよい。
【０１５１】
いくつかのローラーキャリアの実施形態は、レール３２に沿って摺動するパック３３によって支持された複数のローラーキャリア４９を備えることができる。これらの実施形態では、各ローラーキャリア４９は、その外側縁部に一対の脚４６ａ、４６ｂを備える。本発明のいくつかの実施形態では、ローラーキャリア４９は、本明細書の他の場所で説明されるように、単一アームアクチュエータによる作動のための単一の脚４６を備えることができることを理解されたい。各仕分けビンには、レール３２の下に延在し、レールに対して垂直に向けられているクロス部材５０が設けられている。各レール３２の下には、クロスアクチュエータ５０上に可動アクチュエータ５２が設けられている。
【０１５２】
各クロス部材５０は、中空内部を有し、中空内部を有する限り任意の適当な断面形状（例えば、円形、楕円形、正方形、長方形、六角形など）を有することができる。各アクチュエータ５２は、その上に傾斜部分を有する一対のアーム５１ａ、５１ｂを備える。アーム５１ａ、５１ｂが取り付けられた各アクチュエータ本体５２は、アームの１つが他のアーム（５１ａ）よりも短い場合を除いて、馬蹄形と同様の形状を有することができる。アーム５１ａ、５１ｂは、各レール３２の両側に配備される。アクチュエータ５２は、好ましくは旋回軸として機能する単純なピンを使用して、クロス部材５０に移動可能に取り付けられる。
【０１５３】
少なくとも１つの電子制御電磁石６１が、各アクチュエータ５２用の中空クロス部材５０の内部に設けられる。いくつかの実施形態では、各アクチュエータ５２は、中空クロス部材５０の内部の隣接する電磁石によって生成される電磁場に応答する金属部品を含むか、またはそれから作られる。各アクチュエータは、そのようなアクチュエータに隣接する電磁場を変化させることによって作動される。作動時には、アクチュエータ５２はアーム５１を上向きに持ち上げ、非作動時には、アクチュエータ５２のアーム５１は引っ込められる。
【０１５４】
いくつかのローラーキャリアの実施形態では、アクチュエータ５２は、各仕分けビンにおいて各レールに沿って設けられる。アクチュエータ５２は、隣接するレール３２に沿ってローラーキャリア４９内に運び込まれる農産物がそのアクチュエータに結合される仕分けビンに排出されるときにのみ作動する。特定の農産物を排出するためのビンの選択は、農産物がコンベアー３１によって移動し始めるときに農産物を評価するカメラ、スケール、および／または他のセンサーによって取得された情報によって行われる。特定された農産物を運ぶローラーキャリア４９が、堆積されるべきビンのクロス部材５０に到達すると、そのローラーキャリア４９を運ぶレール３２に結合するアクチュエータ５２用の電磁石６１が作動する。
【０１５５】
これにより、アクチュエータのアーム５１ａ、５１ｂが上昇する。アーム５１が上昇することによって、それらがカップ４５の脚４６ａ、４６ｂと接触し、カップ構造全体を水平に保ちながら上昇させる。これにより、ローラーキャリア４９を支持する旋回軸４１が、スロット３１からパック３３の解放領域３８まで持ち上げられる。解放領域３８の旋回軸４１により、カップ４５は、あちこちの方向に自由に旋回し、運んでいる農産物を落下させる。脚の１つ（例えば４６ｂ）は、短い方のアーム（例えば５１ｂ）の端に到達すると、支持を失い、ローラーキャリア４９をその脚（４６ｂ）の方向に傾かせて、運んでいる農産物を落下させる。これが起こった後、電磁石６１は、両方のアーム５１ａ、５１ｂを後退させる磁場を逆転させ、ローラーキャリア４９を水平に戻し、旋回軸４１をスロット３１に戻す。
【０１５６】
他の実施形態と同様に、１つ以上のディスク５３がクロス部材５０上に設けられ、各アクチュエータ５２に隣接する少なくとも１つのディスクが、ローラーキャリア４９を作動させる。これらの実施形態では、２つのディスク５３ａ、５３ｂが設けられ、１つは各アクチュエータ５２用のレール３２のいずれかの側面に設けられる。ディスク５３は、部分的または完全に金属で作られ、そして／または、クロス部材５０内部の１つ以上の隣接する電磁石６１によって生成される磁場に反応することができる金属部分を含む。ディスク５３は、クロス部材５０の長さに沿って移動することができ、隣接する電磁石６１によって生成される変化する磁場によって、クロス部材５０に沿って一方向または他の方向に移動する。
【０１５７】
図示する実施形態では、１つ以上の電磁石６１を一方向に作動させると、両方のディスク５３を内側に、レール３２に向かって移動させる磁場が生成される。ディスク５３は、アーム５１に円滑に接触する傾斜した（円錐形の）内部部分を備えることが好ましい。この接触は、アーム５１をレール３２のいずれかの側面上に持ち上げ、ローラーキャリア４９の脚４６を持ち上げる。他の実施形態で説明したように、１つのアーム（例えば、５１ｂ）は、他のアーム（例えば、５１ａ）より短い。そのため、対応する脚（４６ｂ）が短い方のアーム（５１ｂ）の端に到達すると、脚は支持を失って落下し、ローラーキャリア４９が下方に旋回して、運搬している農産物を落下させる。これが発生した後、１つ以上の電磁石６１が磁場を反転させ、両方のディスク５３ａ、５３ｂがレール３２から離れて反対方向に移動し、アクチュエータアーム５１が落下し、ローラーキャリア４９が水平に戻り、旋回軸４１がスロット３１に戻る。
【０１５８】
いくつかのローラーキャリアの実施形態は、レール３２の対向側面でディスク５３ａおよび５３ｂを使用できるが、他の実施形態では、単一のディスク５３がレール３２の一方または他方の側面に設けられ、隣接する電磁石６１が中空部材５０の内部に有り、アクチュエータ５２のいずれかの部分の動きも接続されたアーム５１ａ、５１ｂの両方を動かすので、アクチュエータ５２の同じ動きを成し遂げ得ることが理解されるべきである。
【０１５９】
他の実施形態では、ローラーキャリア４９は、一方の側面または他方の側面に単一の脚４６を備えることができる。これらの実施形態では、アクチュエータ５２は、単一の脚４６に対応する唯一のアーム５１を有する。アーム５１が持ち上げられると、脚４６に接触し、ローラーキャリア４９が、それが運んでいるあらゆる農産物を傾けて落下させる。
【０１６０】
いくつかの単一コンベアーまたは二重コンベアーの実施形態では、カップ４５およびパック３３は、単一の一体化された部品を備えてもよく、或いは、カップは、パック（カップ−パック）に固定して取り付けられてもよい。これらの実施形態では、そのようなカップから農産物を放出するための旋回動作はない。代わりに、スイーパーアームを使用するか、空気を吹き付けることで、農産物を除去できる。スイーパーアームを使用する実施形態では、そのようなアームは、各ビン用の各レールの下のクロス部材５０に取り付けられたアクチュエータ５２の形態であってもよい。スイーパーアームは、クロス部材５０内部の隣接する電磁石６１によって生成される電磁場に従って移動することができる金属部品から作られるか、またはそれを備えることができる。
【０１６１】
カップパックは、その中に開口を備えることができ、それを通してスイーパーアーム５１を延ばすことができる。これらの実施形態では、スイーパーアームが作動すると、スイーパーアームは、隣接するカップパックの開口を通って伸び、カップ内の農産物に接触し、それを移動させて下のビンの中に落とす。他の実施形態では、カップパックは、各カップの底部に設けられる可動片７５を備えることができ、各可動片は、カップパックの開口を通って延びる少なくとも１つの脚７６を有する。これらの実施形態では、カップパックが農産物が堆積されるビンに到達すると、スイーパーアームまたはアクチュエータが作動し、それにより、可動の下方に延びる脚７６と接触する。
【０１６２】
一部の実施形態では、アクチュエータと脚との接触により、カップ内の可動片７５が持ち上げられ、それにより、農産物がカップ内へ移動する。他の実施形態では、アクチュエータは傾けられ、それが作動すると（例えば、上昇すると）、脚がアクチュエータに沿って移動し、徐々に上方に移動し、カップの底部の可動片を徐々に上昇させ、最終的にカップの中の野菜を円滑に移動させ、下のビンの中に落下させる。
【０１６３】
他の実施形態では、ブルーベリーまたはチェリーなどの小さいサイズの農産物を支持するために、カップパックは小さくてもよい。これらのカップパックの実施形態では、空気の噴射を使用して、カップから農産物に、下の選択された仕分けビンへ吹きつける。空気は、各クロス部材に取り付けられた空気源から供給され、空気源は、カップパックの上部分に向けられている各レールに隣接する出口通気口７７を備える。
【０１６４】
カップパックが選択されたビンに到達すると、少量の空気が通気口７７を通って吹き出され、農産物の小片に、カップから下のビンに吹き付ける。このような空気弁の開閉は、クロス部材内部の電磁石６１を使用して達成できることを理解されたい。これらの実施形態では、通気口は、電磁場に反応する金属を含むか、またはその金属でできている。次に、電磁石を使用して通気口を開閉することができる。通気口は、一方向に磁場を与えることによって開き、別の方向に磁場を与えることによって閉じることができる。
【０１６５】
いくつかのローラーカップの実施形態では、ローラー１３および支持体２２は、単一の一体化された部品からなるか、或いは、ローラー１３は、支持体（ローラーパック、図示せず）に固定的に取り付けられる。これらの実施形態には、そのようなローラーパックから農産物を放出するための旋回動作はない。代わりに、スイーパーアームを使用するか、空気を吹き付けることで、農産物が除去される。スイーパーアームを使用する実施形態では、そのようなアーム５１は、各ビン用の各レールの下でクロス部材５０に取り付けられるアクチュエータ５２の形態であってもよい。スイーパーアームは、クロス部材５０内部の隣接する電磁石６１によって生成される電磁場によって移動することができる金属部品から作られるか、またはその金属部品を含むことができる。
【０１６６】
ローラーパックは、その中に開口を備え、それを通してスイーパーアーム５１ａまたは５１ｂを延ばすことができる。これらの実施形態では、スイーパーアームが作動すると、スイーパーアームは、ローラー内で農産物に接触する隣接するローラーパックの開口を通って伸び、それを移動させ、下のビンの中に落下させる。他の実施形態では、ローラーパックは、各ローラーを備えた可動片６５を備えることができ、各可動片は、ローラーパックの開口を通って延びる少なくとも１つの脚６６を有する。
【０１６７】
これらの実施形態では、ローラーパックは農産物が堆積されるビンに到達すると、スイーパーアームまたはアクチュエータ５１が作動し、それによって、下向きに可動な延長脚６６と接触する。ある実施形態では、アクチュエータと脚の接触が、ローラーの可動片６５を動かし、それによりローラー内の農産物を移動させる。他の実施形態では、アクチュエータが傾けられ、それが作動すると（例えば、上昇すると）、脚がアクチュエータに沿って移動し、徐々に上方に移動し、ローラーパックの可動片６５を徐々に上昇させて、最終的にローラーの中の農産物を円滑に移動させ、下方のビンに落下させる。
【０１６８】
他の実施形態では、ローラー１３および支持体２２が単一の一体化部品からなるか、或いは、ローラー１３が支持体２２に固定的に取り付けられる。それらは、ブルーベリーやチェリーなどの小さいサイズの農産物を支持するために小さくてもよい。これらの小さなローラーパックの実施形態では、空気の噴射を使用して、農産物をローラーから下方の選択された仕分けビンへ吹き出す。空気は、各クロス部材５０に取り付けられた空気源から供給され、それは、小さなローラーパックの上部に向けられている各レールに隣接する出口通気口６７を備える。
【０１６９】
小さなローラーパックが選択されたビンに達すると、小さなローラーパックから下方のビンに向かって農産物の小片に吹き付ける通気口６７を通して小さな空気の噴射が吹き込まれる。そのような空気弁６７の開閉は、クロス部材５０の内側の電磁石６１を使用して達成できることを理解されたい。これらの実施形態では、通気口は、電磁場に反応する金属を含むか、またはその金属で作られる。従って、電磁石を使用して通気口を開閉することができる。通気口は、一方向に磁場を与えることによって開き、別の方向に磁場を与えることによって閉じることができる。
【０１７０】
本明細書に記載される種々の特徴および態様は、本発明の種々の実施形態において種々の組み合わせで利用されてもよいことが理解されるべきである。例えば、限定することなしに、単一体ローラーパック（非旋回）または単一体カップパック（非旋回）のいずれかを、電磁操作のスイーパーアームまたはブロワー通気口と共に使用し、本発明の単一コンベアーまたは二重コンベアーシステムのいずれかに備えることができる。。他の例では、旋回カップまたは旋回ローラー、および関連する電磁アクチュエータは、本発明の単一コンベアーまたは二重コンベアーシステムに設けることができる。
【０１７１】
本発明の特定の実施形態の前述の説明は、例示および説明の目的で提示されたことが理解されるべきである。それらは網羅的であること、または本発明を開示された正確な形態に限定することを意図しておらず、明らかに、上記の教示に照らして多くの修正および変更が可能である。実施形態は、本発明の原理およびその実際の用途を最もよく説明し、それによって当業者が本発明および想定される特定の用途に適した様々な変更を加えた様々な実施形態を最大限に利用できるようにするために選択および説明された。
【図１】
2021504268.tif 000003
【図２】
2021504268.tif 000004
【図３】
2021504268.tif 000005
【図４】
2021504268.tif 000006
【図５】
2021504268.tif 000007
【図６】
2021504268.tif 000008
【図７】
2021504268.tif 000009
【図８】
2021504268.tif 000010
【図９】
2021504268.tif 000011
【図１０】
2021504268.tif 000012
【図１１】
2021504268.tif 000013
【図１２】
2021504268.tif 000014
【図１３】
2021504268.tif 000015
【図１４】
2021504268.tif 000016
【図１５】
2021504268.tif 000017
【図１６】
2021504268.tif 000018
【図１７】
2021504268.tif 000019
【図１８】
2021504268.tif 000020
【手続補正書】
【提出日】令和2年5月25日(2020.5.25)
【手続補正１】
【補正対象書類名】特許請求の範囲
【補正対象項目名】全文
【補正方法】変更
【補正の内容】
【特許請求の範囲】
【請求項１】
農産物を搬送するためのコンベアー装置であって、
a. 互いに平行に設けられた複数の連続したレールであって、各レールが滑らかな外部上面、底面、および対向する側面を有し、少なくとも１つの連続した嵌合面が、前記上面、底面、および側面の少なくとも１つに沿って設けられている複数の連続したレールと、
b. 各レールに設けられた複数のパックであって、各パックが、そのようなレールを跨ぐ脚の間に開口を形成する一対の脚を備え、そのような開口の各々の少なくとも１つの内面がパックとレールの間に摺動可能に係合するために各レール上の嵌合面に相補的な嵌合面を有する複数のパックと
を備えるコンベアー装置。
【請求項２】
連続的な窪みが各レールの各対向側面に沿って設けられ、各パック脚の各内面が、各レールの対応する側面の窪みと相補的な形状を有する突起を備える請求項１に記載のコンベアー装置。
【請求項３】
外側に延びる突出部が各パック脚の外面に設けられ、該装置が複数の平行スプロケットホイールをさらに備え、そのようなホイールの各々が各レールの湾曲部分に隣接して設けられ、各ホイールは、複数の前記パックを前記レールに沿って付勢するためにレールの湾曲部分の周りを移動するときに、前記パックの突出部に係合するための複数のスプロケットを備える請求項１に記載のコンベアー装置。
【請求項４】
外側に延びる突出部が各パック脚の外面に設けられ、装置が複数の平行なスプロケットホイールをさらに備え、そのような各ホイールが各レールの湾曲部分に隣接して設けられ、そのような各ホイールが、各レールの対向側面に設けられた２つの回転可能な平行なディスクを備え、各ディスクは、ホイールがレールに沿って前記パックを付勢するためにレールの湾曲部分の周りを移動するときに前記パックの突出部に係合する複数のスプロケットを備える請求項１に記載のコンベアー装置。
【請求項５】
各レールの別の部分に隣接して設けられた少なくとも１つの追加のスプロケットホイールをさらに備え、各追加のホイールは、各レールの対向側面に設けられた２つの回転可能な平行ディスクを備え、各ディスクは、前記パックを前記レールに沿ってさらに付勢するために、パックの突出部と係合する複数のスプロケットを備える請求項４に記載のコンベアー装置。
【請求項６】
前記パックを前記レールに沿って付勢するためにレールの湾曲部分の周りを移動するときに、パックの少なくとも１つの脚に係合するために各レールの湾曲部分に隣接して設けられたチェーン駆動ホイールをさらに備える請求項１に記載のコンベアー装置。
【請求項７】
各パックが、農産物を保持するために枢動可能に取り付けられた可動カップと、前記カップの縁に位置する少なくとも１つの下向きに延びる脚とをさらに備え、
a. 前記レールの軸に垂直な向きを有する前記レールの下方に搭載され、各レールに隣接する少なくとも１つの制御可能な電磁石を収容する少なくとも１つの中空クロス部材と、
b. 各電磁石が作動すると、カップの１つに選択的に接触してカップを旋回させて農産物を排出させるために、各レールに隣接し、少なくとも１つの電磁石に隣接するクロスバー上の少なくとも１つの可動アクチュエータと、
をさらに備える請求項１に記載のコンベアー装置。
【請求項８】
各カップが一対の下方に延びる脚を備え、各脚が前記レールの各側面にあり、前記少なくとも１つの可動アクチュエータが２つの平行なリフトアームを備え、各リフトアームは前記脚の位置に対応するように前記レールの各側面に設けられ、前記リフトアームの一方は、前記リフトアームの他方よりも長い請求項７に記載のコンベアー装置。
【請求項９】
前記電磁石が作動したときに前記アクチュエータに接触するように前記クロス部材に沿って選択的に移動するために各アクチュエータに隣接する各クロス部材の周りに設けられた少なくとも１つの可動ディスクをさらに備える請求項７に記載のコンベアー装置。
【請求項１０】
各パックが、農産物を保持するためにそこに固定して取り付けられたカップと、下向きに延びる脚を有する前記カップ内の少なくとも１つの可動部材とをさらに備え、
a. 前記レールの軸に垂直な向きを有する前記レールの下方に搭載され、かつ、各レールに隣接する少なくとも１つの制御可能な電磁石を収容する少なくとも１つの中空のクロス部材と、
b. 各電磁石が作動すると、可動部材の一つの脚に選択的に接触して可動部材を上昇させ、農産物を放出させるために、各レールに隣接し、かつ、少なくとも一つの電磁石に隣接するクロスバー上の少なくとも一つの可動アクチュエータと、をさらに備える請求項１に記載のコンベアー装置。
【請求項１１】
第２のコンベアーをさらに含み、前記第２のコンベアーは、
c. 互いに平行に設けられ、長さの一部にわたって前記第１の複数の連続レールに挿入されたであって、前記第２のレールの各々は滑らかな外部上面、底面、および対向する側面を有し、少なくとも１つの連続する嵌合面が、前記面の少なくとも１つに沿って設けられる第２の複数の連続レールと、
d. 各第２レール上に設けられた複数のキャリアであって、各キャリアが、そのようなレールに跨るキャリアの脚の間に開口を形成する一対の脚を備え、各キャリアの脚の開口の少なくとも１つの内面が、キャリアとレールの間を摺動可能に係合するために、そのような各レールの嵌合面に相補的である嵌合面を備える複数のキャリアと、
を備える請求項１に記載のコンベアー装置。
【請求項１２】
連続的な窪みが各第２のレールの各対向側面に沿って設けられ、各キャリア脚の各内面が、そのような各レールの対応する側面の窪みに相補的な形状を有する突起を備える請求項１１に記載のコンベアー装置。
【請求項１３】
外側へ延びる突出部が各キャリア脚の外面に設けられ、本装置がさらに第２の複数の平行なスプロケットホイールを備え、各第２ホイールは各第２レールの湾曲部分に隣接して設けられ、各第２ホイールは、前記キャリアを前記レールに沿って付勢するために、前記レールの湾曲部分の周りを移動するときに、前記キャリアの突出部と係合する複数のスプロケットを備える請求項１１に記載のコンベアー装置。
【請求項１４】
外側に延びる突出部が各キャリア脚の外面に設けられ、本装置がさらに第２の複数の平行なスプロケットホイールを備え、そのような各ホイールが各第２レールの湾曲部分に隣接して設けられ、そのような各第２ホイールは、各レールの対向側面に設けられた２つの回転可能な平行ディスクを備え、各ディスクは、キャリアをレールに沿って付勢するためにレールの湾曲部分の周りを移動するときにキャリアの突出部に係合するための複数のスプロケットを備える請求項１１に記載のコンベアー装置。
【請求項１５】
a. 中心軸を有する少なくとも１つのレール;
b. 前記少なくとも１つのレールに沿って移動するために設けられた少なくとも１つのパック;
c. 農産物を保持するために各パックに枢動可能に取り付けられた可動カップであって、各カップが少なくとも１つの下向きに延びる脚を有する可動カップ;
d. 前記少なくとも１つのレールの軸に垂直な方位を有する前記少なくとも１つのレールの下方に搭載された少なくとも１つの中空クロス部材であって、各クロス部材が、前記少なくとも１つのレールに隣接する少なくとも１つの制御可能な電磁石を収容する中空クロス部材; そして
e. 一方のカップの脚に選択的に接触し、前記電磁石が作動した時にカップを旋回させて農産物を放出させるために、少なくとも１つのレールと少なくとも１つの電磁石に隣接する、クロスバー上の少なくとも１つの電磁可動アクチュエータを備える、農産物を選択的に放出する装置。
【請求項１６】
各カップが一対の下方に延びる脚を備え、前記少なくとも１つのレールの各側面に１つの脚があり、前記少なくとも１つの可動アクチュエータが２つの平行なリフトアームを備え、１つのそのようなリフトアームが前記脚の位置に対応して前記レールの各側面に設けられ、前記リフトアームの一方が前記リフトアームの他方よりも長い請求項１５に記載の装置。
【請求項１７】
前記電磁石が作動したときに前記クロス部材に沿って選択的に移動して前記アクチュエータに接触するために、各アクチュエータに隣接する各クロス部材の周りに設けられた少なくとも１つの電磁可動ディスクをさらに備える請求項１６に記載の装置。
【請求項１８】
前記少なくとも１つのレールは、互いに平行に設けられた複数の連続レールを備え、各レールは、滑らかな外部上面、底面、および対向側面を有し、少なくとも１つの連続嵌合面が、前記面の少なくとも１つに沿って設けられ、前記少なくとも１つのパックは、各レール上に設けられた複数のパックを備え、各パックは、そのようなレールを跨ぐために脚の間の開口を形成した一対の脚を備え、そのような各開口の少なくとも１つの内面が、パックとレール間の摺動可能な係合のために、各レールの嵌合面を補完する嵌合面を備える請求項１５に記載の装置。
【請求項１９】
連続的な窪みが各レールの各対向側面に沿って設けられ、各パックの脚の各内面が、各レールの対応する側面の窪みと相補的な形状を有する突起を備える請求項１５に記載の装置。
【請求項２０】
外側に延びる突出部が各パック脚の外面に設けられ、本装置は複数の平行なスプロケットホイールをさらに備え、そのような各ホイールは、各レールの湾曲部分に隣接して設けられ、前記パックを前記レールに沿って付勢するためにレールの湾曲部分の周りを移動するとき、前記パックの突出部に係合する複数のスプロケットを備える請求項１５に記載の装置。
【請求項２１】
外側に延びる突出部が各パックの脚の外面に設けられ、本装置が複数の平行なスプロケットホイールをさらに備え、そのような各ホイールが各レールの湾曲部分に隣接して設けられ、そのような各ホイールが各レールの対向側面に設けられた２つの回転可能な平行なディスクを備え、各ディスクは、前記パックをレールに沿って付勢するためにレールの湾曲部分を移動する時にパックの突出部に係合する複数のスプロケットを備える請求項１５に記載の装置。
【請求項２２】
a. 中心軸を有する少なくとも１つのレール;
b. 前記少なくとも１つのレールに沿って移動するために設けられた少なくとも１つのパック;
c. 農産物を保持するために各パックに固定的に取り付けられたカップであって、各カップが少なくとも１つの可動部材をその上に有し、前記可動部材が下向きに延びる脚を有するカップ;
d. 前記少なくとも１つのレールの軸に垂直な方位を有する前記少なくとも１つのレールの下方に搭載された少なくとも１つの中空クロス部材であって、各クロス部材が、前記少なくとも１つのレールに隣接する少なくとも１つの制御可能な電磁石を収容する中空クロス部材; そして
e. 可動部材の１つの脚に選択的に接触し、前記電磁石が作動した時に可動部材に農産物を移動させるために、少なくとも１つのレールと少なくとも１つの電磁石に隣接する、クロスバー上の少なくとも１つの電磁可動アクチュエータを備える、農産物を選択的に放出する装置。
【請求項２３】
前記少なくとも１つのレールは、互いに平行に設けられた複数の連続レールを備え、各レールは、滑らかな外部上面、底面、および対向側面を有し、少なくとも１つの連続嵌合面が、前記面の少なくとも１つに沿って設けられ、前記少なくとも１つのパックは、各レール上に設けられた複数のパックを備え、各パックは、そのようなレールを跨ぐために脚の間の開口を形成した一対の脚を備え、そのような各開口の少なくとも１つの内面が、パックとレール間の摺動可能な係合のために、各レールの嵌合面を補完する嵌合面を備える請求項２２に記載の装置。
【請求項２４】
連続的な窪みが各レールの各対向側面に沿って設けられ、各パックの脚の各内面が、各レールの対応する側面の窪みと相補的な形状を有する突起を備える請求項２２に記載の装置。
【請求項２５】
外側に延びる突出部が各パック脚の外面に設けられ、本装置は複数の平行なスプロケットホイールをさらに備え、そのような各ホイールは、各レールの湾曲部分に隣接して設けられ、前記パックを前記レールに沿って付勢するためにレールの湾曲部分の周りを移動するとき、前記パックの突出部に係合する複数のスプロケットを備える請求項２２に記載の装置。
【請求項２６】
外側に延びる突出部が各パックの脚の外面に設けられ、本装置が複数の平行なスプロケットホイールをさらに備え、そのような各ホイールが各レールの湾曲部分に隣接して設けられ、そのような各ホイールが各レールの対向側面に設けられた２つの回転可能な平行なディスクを備え、各ディスクは、前記パックをレールに沿って付勢するためにレールの湾曲部分を移動する時にパックの突出部に係合する複数のスプロケットを備える請求項２２に記載の装置。
【請求項２７】
a. 農産物を複数の可動カップのそれぞれに導入し、各カップは複数のスライド可能なパックの１つに旋回可能に取り付けられ、各パックは中心軸を有する連続レールとスライド可能に係合し、各パックはレールを跨ぐためにパックの脚の間に開口を形成する一対のパックの脚を備え、各パックの脚の開口の少なくとも１つの内面は、各パックとレールとの間のスライド可能な係合のためのレール上の連続嵌合面に相補的な嵌合面を備え、そして
b. レールの湾曲した部分に隣接して配置された第１スプロケットホイールを使用して、レールに沿って前記複数のパックを互いに付勢し、前記スプロケットホイールは、パックがレールの湾曲した部分の周りを移動するときに前記複数のパックのそれぞれと係合する複数のスプロケットを備える、
農産物を選別するために運搬する方法。
【請求項２８】
レールの他の部分に隣接して配置された第２スプロケットホイールを使用して、レールに沿って前記複数のパックを互いにさらに付勢し、第２スプロケットホイールは、レールの別の部分に隣接して設けられ、第２スプロケットホイールは、パックがレールに沿って移動するときに複数のパックのそれぞれと係合する第２の複数のスプロケットを備える請求項２７に記載の方法。
【請求項２９】
外側に延びる突出部が、前記第１および第２スプロケットホイールのスプロケットとの係合のために、前記一対のパックの脚のそれぞれの外面に設けられる、請求項２８に記載の方法。
【請求項３０】
各カップが、前記カップの縁部に位置する少なくとも１つの下向きに延びる脚をさらに備え、制御可能な電磁石を収容する中空のクロス部材が、前記レールの下方に取り付けられ、前記クロス部材が、前記レールの軸に垂直な方向を有し、可動アクチュエータが、レールに隣接し、かつ、前記制御可能な電磁石に隣接する前記中空のクロス部材上に設けられ、農産物が識別されたときに前記電磁石を選択的に作動させて、前記アクチュエータをカップの下方に延びる脚部に接触させて、前記カップを旋回させ、識別された農産物を前記カップから放出する、請求項２７に記載の方法。
【請求項３１】
レールの別の部分に隣接して設けられた第２スプロケットホイールを用いて、レールに沿って前記複数のパックを互いにさらに付勢し、第２スプロケットホイールは、パックがレールに沿って移動するときに複数のパックのそれぞれと係合する第２の複数のスプロケットを備える、請求項３０に記載の方法。
【請求項３２】
前記第１および第２スプロケットホイールのスプロケットと係合するために、前記一対のパックの脚のそれぞれの外面に外向きに延びる突出部が設けられる、請求項３１に記載の方法。
【請求項３３】
各可動カップは、一対の下向きに延びる脚を備え、各脚がレールの各側面に有り、前記可動アクチュエータは、２本の平行リフトアームを備え、１つのそのようなアームが前記一対のカップ脚の位置に対応するレールの各側面に設けられ、前記平行リフトアームの一方は、前記平行リフトアームの他方より長い、請求項３０に記載の方法。
【請求項３４】
前記電磁石が作動するとき、前記少なくとも１つの中空クロス部材に沿って選択的に移動して前記可動アクチュエータに接触するために、前記可動アクチュエータに隣接する前記クロス部材の周りに設けられた可動ディスクをさらに備える、請求項３０に記載の方法。
【請求項３５】
a. 農産物を複数の可動カップのそれぞれに導入し、各カップは複数のスライド可能なパックの１つに固定して取り付けられ、各パックは中心軸を有する連続レールとスライド可能に係合し、各パックはレールを跨ぐためにパックの脚の間に開口を形成する一対のパックの脚を備え、各パックの脚の開口の少なくとも１つの内面は、各パックとレールとの間のスライド可能な係合のためのレール上の連続嵌合面に相補的な嵌合面を備え、そして
b. レールの湾曲した部分に隣接して配置された第１スプロケットホイールを使用して、レールに沿って前記複数のパックを互いに付勢し、前記スプロケットホイールは、パックがレールの湾曲した部分の周りを移動するときに前記複数のパックのそれぞれと係合する複数のスプロケットを備える、
農産物を選別するために運搬する方法。
【請求項３６】
各カップが少なくとも１つの可動部材をさらに備え、前記可動部材はそこに位置する下向きに延びる脚を有し、制御可能な電磁石を収容する中空のクロス部材が、前記レールの下方に取り付けられ、前記クロス部材が、前記レールの軸に垂直な方向を有し、可動アクチュエータが、レールに隣接し、かつ、前記制御可能な電磁石に隣接する前記中空のクロス部材上に設けられ、農産物が識別されたときに前記電磁石を選択的に作動させて、前記アクチュエータを前記可動部材の下方に延びる脚部に接触させて、前記可動部材を上昇させ、識別された農産物を前記カップから放出する、請求項３５に記載の方法。
【請求項３７】
レールの他の部分に隣接して配置された第２スプロケットホイールを使用して、レールに沿って前記複数のパックを互いにさらに付勢し、第２スプロケットホイールは、レールの別の部分に隣接して設けられ、第２スプロケットホイールは、パックがレールに沿って移動するときに複数のパックのそれぞれと係合する第２の複数のスプロケットをそなえる請求項３６に記載の方法。
【請求項３８】
a. 農産物を複数の可動カップのそれぞれに導入し、各カップは複数の摺動可能なパックの１つに枢動可能に取り付けられ、各パックは、軸に沿って互いに平行に設けられた複数の連続レールの１つと摺動可能に係合し、各パックは、そのような各レールに跨るためにパックの脚の間に開口を形成する一対のパックの脚を備え、各パックの脚の開口の少なくとも１つの内面は、各パックとそのような各レールとの間の摺動可能な係合のための複数のレールの一方の連続嵌合面に相補的な嵌合面を備え、
b. 複数の第１スプロケットホイールを使用して、複数のレールのそれぞれに沿って前記複数のパックを互いに付勢し、前記スプロケットホイールは、複数のレールのそれぞれの湾曲部分に隣接して配置され、複数のスプロケットホイールのそれぞれは、パックが複数のレールのそれぞれの湾曲した部分の周りを移動するときに、前記複数のパックのそれぞれに係合する複数のスプロケットを備える、農産物を選別するために運搬する方法。
【請求項３９】
複数のカップの各カップが、そのような各カップの縁部に配置された少なくとも１つの下向きに延びる脚をさらに備え、少なくとも１つの制御可能な電磁石を収容する少なくとも１つの中空のクロス部材が、前記複数のレールの下方に取り付けられ、前記少なくとも１つのクロス部材は、前記複数のレールの軸に垂直な方向を有し、少なくとも１つの可動アクチュエータが、複数のレールに隣接し、かつ、前記少なくとも１つの制御可能な電磁石に隣接する少なくとも１つの中空のクロス部材上に設けられ、農産物が特定されたときに前記制御可能な電磁石の１つを選択的に作動させて、アクチュエータをカップの下方に延びる脚に接触させ、前記カップを旋回させ、特定された農産物を前記カップから放出させる請求項３８に記載の方法。
【請求項４０】
前記複数のレールの別の部分に隣接して設けられた複数の第２スプロケットホイールを使用して、前記複数のパックを複数のレールに沿って互いにさらに付勢し、前記複数の第２スプロケットホイールのホイールの各々は、パックが複数のレールに沿って移動するときに前記複数のパックのそれぞれと係合する第２の複数のスプロケットを備える、請求項３９に記載の方法。
【国際調査報告】
2021504268.tif 000021